(57)【要約】  通信技術分野に関連する指示信号構成方法および装置が提供される。方法は、ネットワークデバイスによって、第１構成情報および第２構成情報を送信する段階と、第１キャリアで第１指示信号を送信する段階と、第２キャリアで第２指示信号を送信する段階と、を含み、第１構成情報は、第１キャリアに対応する第１指示信号の期間を示すために使用され、第２構成情報は、第２キャリアに対応する第２指示信号の期間を示すために使用され、第１端末デバイスは、第１指示信号を受信する必要がある端末デバイスであり、第２端末デバイスは、第２指示信号を受信する必要がある端末デバイスである。
2021503823.tif 000002
【特許請求の範囲】
【請求項１】
指示信号構成方法であって、前記方法は、
ネットワークデバイスによって、第１構成情報および第２構成情報を送信する段階であって、前記第１構成情報は、第１キャリアに対応する第１指示信号の期間を示すために使用され、前記第２構成情報は、第２キャリアに対応する第２指示信号の期間を示すために使用され、前記第１指示信号は、第１端末デバイスが前記第１指示信号に関連する信号の受信を継続するか、または前記第１指示信号に関連するチャネルの処理を継続するかを示すために使用され、前記第２指示情報は、第２端末デバイスが前記第２指示信号に関連する信号の受信を継続するか、または前記第２指示信号に関連するチャネルの処理を継続するかを示すために使用され、前記第１端末デバイスは、前記第１指示信号を受信する必要がある端末デバイスであり、前記第２端末デバイスは、前記第２指示信号を受信する必要がある端末デバイスである、送信する段階と、
前記ネットワークデバイスによって、前記第１キャリアで前記第１指示信号を送信し、前記第２キャリアで前記第２指示信号を送信する段階と、を備える、方法。
【請求項２】
前記第１指示信号の前記期間は、前記第２指示信号の前記期間とは異なる、
請求項１に記載の方法。
【請求項３】
前記第１キャリアはアンカーキャリアであり、前記第２キャリアは非アンカーキャリアである、
請求項１または２に記載の方法。
【請求項４】
前記第１構成情報は、第１決定閾値をさらに示し、前記第１決定閾値は、前記第１キャリアで前記第１指示信号を受信するかを決定するように前記第１端末デバイスに命令するために使用され、
前記第２構成情報は、第２決定閾値をさらに示し、前記第２決定閾値は、前記第２キャリアで前記第２指示信号を受信するかを決定するように前記第２端末デバイスに命令するために使用される、
請求項１から３のいずれか１項に記載の方法。
【請求項５】
前記第１構成情報は第３決定閾値をさらに示し、前記第２構成情報は第４決定閾値をさらに示し、
前記第３決定閾値は、前記第１キャリアで前記第１指示信号を受信する場合に、前記ネットワークデバイスと同期するために同期信号を使用するかを決定するように前記第１端末デバイスに命令するために使用され、
前記第４決定閾値は、前記第２キャリアで前記第２指示信号を受信する場合に、前記ネットワークデバイスと同期するために前記同期信号を使用するかを決定するように前記第２端末デバイスに命令するために使用される、
請求項１から３のいずれか１項に記載の方法。
【請求項６】
前記第１構成情報は、第５決定閾値および第６決定閾値をさらに示し、前記第５決定閾値は、前記第６決定閾値未満であり、前記第２構成情報は、第７決定閾値および第８決定閾値をさらに示し、前記第７決定閾値は、前記第８決定閾値未満であり、
前記第５決定閾値および前記第６決定閾値は、前記第１キャリアで前記第１指示信号を受信するかを決定し、前記第１キャリアで前記第１指示信号を受信する場合、前記ネットワークデバイスと同期するために同期信号を使用するかを決定するように前記第１端末デバイスに命令するために使用され、
前記第７決定閾値および前記第８決定閾値は、前記第２キャリアで前記第２指示信号を受信するかを決定し、前記第２キャリアで前記第２指示信号を受信する場合、前記ネットワークデバイスと同期するために前記同期信号を使用するかを決定するように前記第２端末デバイスに命令するために使用される、
請求項１から３のいずれか１項に記載の方法。
【請求項７】
前記ネットワークデバイスによって、第３構成情報を送信する段階であって、前記第３構成情報は、第９決定閾値を示し、
前記第９決定閾値は、前記第１キャリアで前記第１指示信号を受信するかを決定するように前記第１端末デバイスに命令するために使用され、前記第２キャリアで前記第２指示信号を受信するかを決定するように前記第２端末デバイスに命令するために使用される、送信する段階をさらに備える、
請求項１から３のいずれか１項に記載の方法。
【請求項８】
前記ネットワークデバイスによって、第４構成情報を送信する段階であって、前記第４構成情報は、第１０決定閾値を示し、
前記第１０決定閾値は、前記第１キャリアで前記第１指示信号を受信する場合に、前記ネットワークデバイスと同期するために同期信号を使用するかを決定するように前記第１端末デバイスに命令するために使用され、前記第２キャリアで前記第２指示信号を受信する場合に、前記ネットワークデバイスと同期するために前記同期信号を使用するかを決定するように前記第２端末デバイスに命令するために使用される、送信する段階をさらに備える、
請求項１から３のいずれか１項に記載の方法。
【請求項９】
前記ネットワークデバイスによって、第５構成情報を送信する段階であって、前記第５構成情報は、第１１決定閾値および第１２決定閾値を示し、前記第１１決定閾値は、前記第１２決定閾値未満であり、
前記第１１決定閾値および前記第１２決定閾値は、前記第１キャリアで前記第１指示信号を受信するかを決定し、前記第１キャリアで前記第１指示信号を受信する場合、前記ネットワークデバイスと同期するために同期信号を使用するかを決定するするように前記第１端末デバイスに命令するために使用され、前記第２キャリアで前記第２指示信号を受信するかを決定し、前記第２キャリアで前記第２指示信号を受信する場合、前記ネットワークデバイスと同期するために前記同期信号を使用するかを決定するように前記第２端末デバイスに命令するために使用される、送信する段階をさらに備える、
請求項１から３のいずれか１項に記載の方法。
【請求項１０】
指示信号構成方法であって、前記方法は、
第１端末デバイスによって、ネットワークデバイスによって送信された第１構成情報を受信する段階であって、前記第１構成情報は、第１キャリア上で送信された第１指示信号の期間を示すために使用され、前記第１指示信号の前記期間は、第２キャリアで第２端末デバイスによって受信された第２指示信号の期間から独立しており、前記第１指示信号は、前記第１端末デバイスが前記第１指示信号に関連する信号の受信を継続するか、または前記第１指示信号に関連するチャネルの処理を継続するかを示すために使用され、前記第２指示情報は、前記第２端末デバイスが前記第２指示信号に関連する信号の受信を継続するか、または前記第２指示信号に関連するチャネルの処理を継続するかを示すために使用される、受信する段階と、
前記第１端末デバイスによって、前記第１キャリアで前記第１指示信号を受信する段階と、
前記第１端末デバイスによって、前記第１指示信号に関連する前記信号の受信を継続するか、または前記第１指示信号に関連する前記チャネルの処理を継続する段階、または前記第１指示信号に関連する前記信号の受信を継続するか、または前記第１指示信号に関連する前記チャネルの処理を継続することを省略する段階と、
を備える、方法。
【請求項１１】
前記第１指示信号の前記期間は、前記第２指示信号の前記期間とは異なる、
請求項１０に記載の方法。
【請求項１２】
前記第１構成情報は、第１決定閾値をさらに示し、
前記第１端末デバイスによって、予め設定されたパラメータの測定値が前記第１決定閾値より大きいまたはこれに等しいと決定する段階と、前記第１端末デバイスによって、前記第１キャリアで前記第１指示信号を受信する段階と、
をさらに備える、請求項１０または１１に記載の方法。
【請求項１３】
前記第１構成情報は、第３決定閾値をさらに示し、
前記第１端末デバイスが、予め設定されたパラメータの測定値が前記第３決定閾値未満であると決定する場合、前記第１端末デバイスによって、前記第１キャリアで前記第１指示信号を受信し、前記ネットワークデバイスと同期するために同期信号を使用する段階、または、
前記第１端末デバイスが、前記予め設定されたパラメータの測定値が前記第３決定閾値より大きいまたはこれに等しいと決定する場合、前記第１端末デバイスによって、前記第１キャリアで前記第１指示信号を受信し、前記ネットワークデバイスと同期するために前記第１指示信号を使用する段階、
をさらに備える、請求項１０または１１に記載の方法。
【請求項１４】
前記第１構成情報は、第５決定閾値および第６決定閾値をさらに示し、前記第５決定閾値は、前記第６決定閾値未満であり、
前記第１端末デバイスが、予め設定されたパラメータの測定値が前記第５決定閾値より大きいまたはこれに等しく前記第６決定閾値未満であると決定する場合、前記第１端末デバイスによって、前記第１キャリアで前記第１指示信号を受信し、前記ネットワークデバイスと同期するために同期信号を使用する段階、または、
前記第１端末デバイスが、前記予め設定されたパラメータの測定値が前記第６決定閾値より大きいまたはこれに等しいと決定する場合、前記第１端末デバイスによって、前記第１キャリアで前記第１指示信号を受信し、前記ネットワークデバイスと同期するために前記第１指示信号を使用する段階、
をさらに備える、請求項１０または１１に記載の方法。
【請求項１５】
前記第１端末デバイスによって、アンカーキャリアで基準信号を受信する段階であって、前記アンカーキャリアは、前記第１キャリアまたは他のキャリアである、受信する段階と、
前記第１端末デバイスによって、前記基準信号に対応する基準信号受信電力ＲＳＲＰを、前記予め設定されたパラメータの前記測定値として決定する段階と、
をさらに備える請求項１０から１４のいずれか１項に記載の方法。
【請求項１６】
プロセッサ、メモリ、および送受信機を備える指示信号構成装置であって、前記メモリはプログラムを格納するように構成され、
前記プロセッサは前記メモリに格納された前記プログラムを呼び出し、前記送受信機を使用して、
第１構成情報および第２構成情報を送信する操作であって、前記第１構成情報は、第１キャリアに対応する第１指示信号の期間を示すために使用され、前記第２構成情報は、第２キャリアに対応する第２指示信号の期間を示すために使用され、前記第１指示信号は、第１端末デバイスが前記第１指示信号に関連する信号の受信を継続するか、または前記第１指示信号に関連するチャネルの処理を継続するかを示すために使用され、前記第２指示情報は、第２端末デバイスが前記第２指示信号に関連する信号の受信を継続するか、または前記第２指示信号に関連するチャネルの処理を継続するかを示すために使用され、前記第１端末デバイスは、前記第１指示信号を受信する必要がある端末デバイスであり、前記第２端末デバイスは、前記第２指示信号を受信する必要がある端末デバイスである、送信する操作と、
前記第１キャリアで前記第１指示信号を送信し、前記第２キャリアで前記第２指示信号を送信する操作と、
を実行する、装置。
【請求項１７】
前記第１指示信号の前記期間は、前記第２指示信号の前記期間とは異なる、請求項１６に記載の装置。
【請求項１８】
前記第１キャリアはアンカーキャリアであり、前記第２キャリアは非アンカーキャリアである、請求項１６または１７に記載の装置。
【請求項１９】
前記第１構成情報は、第１決定閾値をさらに示し、前記第１決定閾値は、前記第１キャリアで前記第１指示信号を受信するかを決定するように前記第１端末デバイスに命令するために使用され、
前記第２構成情報は、第２決定閾値をさらに示し、前記第２決定閾値は、前記第２キャリアで前記第２指示信号を受信するかを決定するように前記第２端末デバイスに命令するために使用される、
請求項１６から１８のいずれか１項に記載の装置。
【請求項２０】
前記第１構成情報は、第３決定閾値をさらに示し、前記第２構成情報は、第４決定閾値をさらに示し、
前記第３決定閾値は、前記第１キャリアで前記第１指示信号を受信する場合に、前記ネットワークデバイスと同期するために同期信号を使用するかを決定するように前記第１端末デバイスに命令するために使用され、
前記第４決定閾値は、前記第２キャリアで前記第２指示信号を受信する場合に、前記ネットワークデバイスと同期するために前記同期信号を使用するかを決定するように前記第２端末デバイスに命令するために使用される、
請求項１６から１９のいずれか１項に記載の装置。
【請求項２１】
前記第１構成情報は、第５決定閾値および第６決定閾値をさらに示し、前記第５決定閾値は、前記第６決定閾値未満であり、前記第２構成情報は、第７決定閾値および第８決定閾値をさらに示し、前記第７決定閾値は、前記第８決定閾値未満であり、
前記第５決定閾値および前記第６決定閾値は、前記第１キャリアで前記第１指示信号を受信するかを決定し、前記第１キャリアで前記第１指示信号を受信する場合、前記ネットワークデバイスと同期するために同期信号を使用するかを決定するように前記第１端末デバイスに命令するために使用され、
前記第７決定閾値および前記第８決定閾値は、前記第２キャリアで前記第２指示信号を受信するかを決定し、前記第２キャリアで前記第２指示信号を受信する場合、前記ネットワークデバイスと同期するために前記同期信号を使用するかを決定するように前記第２端末デバイスに命令するために使用される、
請求項１６から１９のいずれか１項に記載の装置。
【請求項２２】
前記プロセッサは、前記送受信機を使用して第３構成情報を送信し、前記第３構成情報は、第９決定閾値を示し、
前記第９決定閾値は、前記第１キャリアで前記第１指示信号を受信するかを決定するように前記第１端末デバイスに命令するために使用され、前記第２キャリアで前記第２指示信号を受信するかを決定するように前記第２端末デバイスに命令するために使用される、
請求項１６から１９のいずれか１項に記載の装置。
【請求項２３】
前記プロセッサは、前記送受信機を使用して第４構成情報を送信し、前記第４構成情報は、第１０決定閾値を示し、
前記第１０決定閾値は、前記第１キャリアで前記第１指示信号を受信する場合に、前記ネットワークデバイスと同期するために同期信号を使用するかを決定するように前記第１端末デバイスに命令するために使用され、前記第２キャリアで前記第２指示信号を受信する場合に、前記ネットワークデバイスと同期するために前記同期信号を使用するかを決定するように前記第２端末デバイスに命令するために使用される、
請求項１６から２２のいずれか１項に記載の装置。
【請求項２４】
前記プロセッサは、前記送受信機を使用して第５構成情報を送信し、前記第５構成情報は、第１１決定閾値および第１２決定閾値を示し、前記第１１決定閾値は、前記第１２決定閾値未満であり、
前記第１１決定閾値および前記第１２決定閾値は、前記第１キャリアで前記第１指示信号を受信するかを決定し、前記第１キャリアで前記第１指示信号を受信する場合、前記ネットワークデバイスと同期するために同期信号を使用するかを決定するように前記第１端末デバイスに命令するために使用され、前記第２キャリアで前記第２指示信号を受信するかを決定し、前記第２キャリアで前記第２指示信号を受信する場合、前記ネットワークデバイスと同期するために前記同期信号を使用するかを決定するように前記第２端末デバイスに命令するために使用される、
請求項１６から２３のいずれか１項に記載の装置。
【請求項２５】
プロセッサ、メモリ、および送受信機を備える指示信号構成装置であって、前記メモリはプログラムを格納するように構成されており、前記プロセッサは前記メモリに格納されているプログラムを呼び出し、前記送受信機を使用して、
ネットワークデバイスによって送信された第１構成情報を受信する操作であって、前記第１構成情報は、第１キャリア上で送信された第１指示信号の期間を示すために使用され、前記第１指示信号の前記期間は、第２キャリアで第２端末デバイスによって受信される第２指示信号の期間から独立しており、前記第１指示信号は、前記第１端末デバイスが前記第１指示信号に関連する信号の受信を継続するか、または前記第１指示信号に関連するチャネルの処理を継続するかを示すために使用され、第２指示情報は、前記第２端末デバイスが前記第２指示信号に関連する信号の受信を継続するか、または前記第２指示信号に関連するチャネルの処理を継続するかを示すために使用される、操作と、
前記第１キャリアで前記第１指示信号を受信する操作と、
前記第１指示信号に関連する前記信号の受信、または前記第１指示信号に関連する前記チャネルの処理を継続する操作、または前記第１指示信号に関連する前記信号の受信、または前記第１指示信号に関連する前記チャネルの処理を継続することを省略する操作と、
を実行させる、装置。
【請求項２６】
前記第１指示信号の前記期間は、前記第２指示信号の前記期間とは異なる、請求項２５に記載の装置。
【請求項２７】
前記第１構成情報は、第１決定閾値をさらに示し、
前記プロセッサは、予め設定されたパラメータの測定値が前記第１決定閾値より大きいまたはこれに等しいことを決定するように構成され、前記プロセッサは、前記送受信機を使用することによって前記第１キャリアで前記第１指示信号を受信する、
請求項２５または２６に記載の装置。
【請求項２８】
前記第１構成情報は、第３決定閾値をさらに示し、
前記プロセッサは、予め設定されたパラメータの測定値が前記第３決定閾値未満であることを決定するように構成され、前記プロセッサは、前記送受信機を使用して前記第１キャリアで前記第１指示信号を受信し、前記ネットワークデバイスと同期するために同期信号を使用するか、または、
前記プロセッサは、前記予め設定されたパラメータの測定値が前記第３決定閾値より大きいまたはこれに等しいことを決定するように構成され、前記プロセッサは、前記送受信機を使用して前記第１キャリアで前記第１指示信号を受信し、前記ネットワークデバイスと同期するために前記第１指示信号を使用する、
請求項２５または２６に記載の装置。
【請求項２９】
前記第１構成情報は、第５決定閾値および第６決定閾値をさらに示し、前記第５決定閾値は、前記第６決定閾値未満であり、
前記プロセッサは、予め設定されたパラメータの測定値が前記第５決定閾値より大きいまたはこれに等しく前記第６決定閾値未満であることを決定するように構成され、前記プロセッサは、前記送受信機を使用して前記第１キャリアで前記第１指示信号を受信し、前記ネットワークデバイスと同期するために同期信号を使用するか、または、
前記プロセッサは、前記予め設定されたパラメータの測定値が前記第６決定閾値より大きいまたはこれに等しいことを決定するように構成され、前記プロセッサは、前記送受信機を使用して前記第１キャリアで前記第１指示信号を受信し、前記ネットワークデバイスと同期するために前記第１指示信号を使用する、
請求項２５または２６に記載の装置。
【請求項３０】
前記プロセッサは、前記送受信機を使用することにより、アンカーキャリア上で基準信号を受信し、前記アンカーキャリアは、第１キャリアまたは他のキャリアであり、
前記プロセッサは、前記基準信号に対応する基準信号受信電力ＲＳＲＰを、前記予め設定されたパラメータの測定値として決定するように構成される、
請求項２７から２９のいずれか１項に記載の装置。
【発明の詳細な説明】
【技術分野】
【０００１】
本願は通信技術分野に関し、具体的には指示信号構成方法および装置に関する。
【背景技術】
【０００２】
指示信号は狭帯域モノのインターネット（Ｎａｒｒｏｗ  Ｂａｎｄ  Ｉｎｔｅｒｎｅｔ  ｏｆ  Ｔｈｉｎｇｓ，  ＮＢ−ＩｏＴ）システムおよび新無線（Ｎｅｗ  Ｒａｄｉｏ，  ＮＲ）システムへと導入される。指示信号は、端末デバイスが継続して指示情報に関連する信号を受信し、または指示信号に関連するチャネルを処理する必要があるかを示すために使用される。指示情報に関連する信号は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，  ＰＤＣＣＨ）上のネットワークデバイスにより送信されたダウンリンク制御情報（Ｄｏｗｎｌｉｎｋ  Ｃｏｎｔｒｏｌ  Ｉｎｆｏｒｍａｔｉｏｎ，  ＤＣＩ）である。指示情報に関連するチャネルは、ＰＤＣＣＨである。一般性を失うことなく、指示信号に関連する信号は、ネットワークデバイスにより送信された任意の信号であり、指示信号に関連するチャネルは、任意の信号を保持する任意のチャネルであり、指示信号はネットワークデバイスが指示信号に関連する信号を送信する前に送信される。
【０００３】
図１に示されるように、指示信号はターゲット検索空間においてＰＤＣＣＨチャネルに関連する。端末デバイスが指示信号を受信する場合、端末デバイスはＰＤＣＣＨ上のネットワークデバイスにより送信されたＤＣＩを受信するために、関連するターゲット検索空間においてさらにブラインド検出を実行し、端末デバイスは受信したＤＣＩに基づいて、物理ダウンリンク共有チャネル（Ｐｈｙｓｉｃａｌ  Ｄｏｗｎｌｉｎｋ  Ｓｈａｒｅｄ  Ｃｈａｎｎｅｌ，  ＰＤＳＣＨ）上のネットワークデバイスにより送信されたダウンリンクデータを受信し、または物理アップリンク共有チャネル（Ｐｈｙｓｉｃａｌ  Ｕｐｌｉｎｋ  Ｓｈａｒｅｄ  Ｃｈａｎｎｅｌ，  ＰＵＳＣＨ）上のネットワークデバイスにアップリンクデータを送信し得る。端末デバイスが指示信号受信していない場合、または指示信号が端末デバイスに対してその後の検索空間においてＰＤＣＣＨチャネルを処理しないよう命令する場合、端末デバイスはブラインド検出を実行することなく、指示信号に関連するターゲット検索空間を直接省略する。しかしながら、指示信号が導入されないときには、ＰＤＳＣＨのスケジューリングまたはＰＵＳＣＨの送信が存在しなかったとしても、具体的には、検索空間においてＰＤＣＣＨの存在はなく、端末デバイスは引き続きターゲット検索空間においてブラインド検出を実行する必要がある。ターゲット検索空間におけるブラインド検出は、ＰＤＣＣＨの復調および復号処理を指す。復号処理は、ブラインド復号処理であり、具体的には、復号処理はいくつかの候補（ｃａｎｄｉｄａｔｅｓ）上でブラインド復号が実行される処理である。このような処理は比較的時間を消費し、端末デバイスは比較的大電力を消費する。したがって、端末デバイスは比較的大電力を消費する。
【０００４】
指示信号が導入された後、指示信号は極めて限定された情報のみを保持するよう設計されるので、指示信号を受信するために必要な電力消費は比較的低い。指示信号を受信するとき、端末デバイスはブラインド検出を実行しない。したがって、端末デバイスの電力消費を減らすことができる。
【０００５】
指示信号の応用例では、端末デバイスが休止モードのとき、端末デバイスはページングメッセージが存在するかをチェックするために周期的にウェイクアップする必要がある。この場合、端末デバイスは指示信号を使用することによって各ページング機会（Ｐａｇｉｎｇ  Ｏｃｃａｓｉｏｎ）から開始するＰＤＣＣＨを処理するかを決定し得る。加えて、この例では、端末デバイスはネットワークデバイスと同期するために指示信号をさらに使用し得る。その結果、端末デバイスはネットワークデバイスと同期するために主同期信号（Ｐｒｉｍａｒｙ  Ｓｙｎｃｈｒｏｎｉｚａｔｉｏｎ  Ｓｉｇｎａｌ，ＰＳＳ）および副同期信号（Ｓｅｃｏｎｄａｒｙ  Ｓｙｎｃｈｒｏｎｉｚａｔｉｏｎ  Ｓｉｇｎａｌ，  ＳＳＳ）を使用する必要がない。これにより、端末デバイスの電力消費はさらに減少する。
【０００６】
しかしながら、端末デバイスが指示信号を使用してネットワークデバイスと同期し、指示信号がセルのターゲットカバレッジにおける端末デバイスの検出要件を満たすことを可能にするとき、指示信号の比較的高いオーバヘッドが生じ得る。したがって、指示信号が前述の２つの機能を実装することを確保するためには、指示信号を設計で最適化する必要がある。
【発明の概要】
【０００７】
本願は、指示信号のカバレッジエリアを柔軟に調整し、指示信号のオーバヘッドを制御するための指示信号構成方法および装置を提供する。
【０００８】
第１態様によれば、本願の一実施形態は、指示信号構成方法であって、ネットワークデバイスによって、第１構成情報および第２構成情報を送信する段階と、第１キャリアで第１指示信号を送信する段階と、第２キャリアで第２指示信号を送信する段階とを備え、第１構成情報は、第１キャリアに対応する第１指示信号の期間を示すために使用され、第２構成情報は、第２キャリアに対応する第２指示信号の期間を示すために使用され、第１指示信号は、第１端末デバイスが第１指示信号に関連する信号の受信を継続するか、または第１指示信号に関連するチャネルの処理を継続するかを示すために使用され、第２指示情報は、第２端末デバイスが第２指示信号に関連する信号の受信を継続するか、または第２指示信号に関連するチャネルの処理を継続するかを示すために使用され、第１端末デバイスは、第１指示信号を受信する必要がある端末デバイスであり、第２端末デバイスは、第２指示信号を受信する必要がある端末デバイスである、指示信号構成方法を提供する。
【０００９】
１つの指示信号の期間が異なるキャリアに対して均一に構成される従来技術と比較して、本願のこの実施形態では、ネットワークデバイスは、各キャリア構成に対応する指示信号の期間に基づいて、指示信号に対応するカバレッジエリアを柔軟に調整することができ、指示信号のオーバヘッドを効果的に制御することができる。
【００１０】
実行可能な設計例では、第１指示信号の期間は、第２指示信号の期間とは異なる。
【００１１】
ネットワークデバイスは、第１指示信号の期間および第２指示信号の期間を別個に構成し得る。
【００１２】
実行可能な設計例では、第１キャリアはアンカーキャリアであり、第２キャリアは非アンカーキャリアである。第２キャリアはアンカーキャリアであり、第１キャリアは非アンカーキャリアである。または、第１キャリアと第２キャリアの両方が非アンカーキャリアである。
【００１３】
実行可能な設計例では、第１構成情報は第１決定閾値をさらに示し、第１決定閾値は、第１キャリアで第１指示信号を受信するかを決定するように第１端末デバイスに命令するために使用される。第２構成情報は、第２決定閾値をさらに示し、第２決定閾値は、第２キャリアで第２指示信号を受信するかを決定するように第２端末デバイスに命令するために使用される。
【００１４】
前述の説明から、予め設定されたパラメータの測定値が第１キャリアに対応する第１決定閾値未満であるとき、第１端末デバイスは、第１指示信号のターゲットカバレッジエリアの外側に配置されることが分かる。例えば、第１端末デバイスは、セルエッジエリアまたはカバレッジ不良エリアに配置される。第１端末デバイスが、指示信号を受信することによって、第１端末デバイスが指示情報に関連する信号の受信を継続するか、または指示信号に関連するチャネルを処理する必要があるかを引き続き決定する場合、指示信号の検出の失敗により、第１端末デバイスが、受信する必要がある関連する信号を受信しないか、または処理する必要がある関連するチャネルを処理しない可能性が高い。これによりデータ消失を生じ、第１端末デバイスとネットワークデバイスとの間の通信に影響する。
【００１５】
実行可能な設計例では、第１構成情報はさらに第３決定閾値を示し、第２構成情報はさらに第４決定閾値を示す。第３決定閾値は、第１キャリアで第１指示信号を受信する場合に、ネットワークデバイスと同期するために同期信号を使用するかを決定するように第１端末デバイスに命令するために使用される。第４決定閾値は、第２キャリアで第２指示信号を受信する場合に、ネットワークデバイスと同期するために同期信号を使用するかを決定するように第２端末デバイスに命令するために使用される。
【００１６】
前述の説明から、予め設定されたパラメータの測定値が第３決定閾値未満であるとき、第１端末デバイスが引き続き指示信号を使用してネットワークデバイスと同期する場合、同期障害が発生し得ること、および第１端末デバイスとネットワークデバイスとの間の通信に影響することが分かる。したがって、第１端末デバイスは、ネットワークデバイスと同期するために同期信号（例えば、ＰＳＳおよびＳＳＳ）を使用する必要がある。
【００１７】
実行可能な設計例では、第１構成情報は、第５決定閾値および第６決定閾値をさらに示し、第５決定閾値は、第６決定閾値未満である。第２構成情報は、第７決定閾値および第８決定閾値をさらに示し、第７決定閾値は、第８決定閾値未満である。第５決定閾値および第６決定閾値は、第１キャリアで第１指示信号を受信するかを決定し、第１キャリアで第１指示信号を受信する場合に、ネットワークデバイスと同期するために同期信号を使用するかを決定するように第１端末デバイスに命令するために使用される。第７決定閾値および第８決定閾値は、第２キャリアで第２指示信号を受信するかを決定し、第２キャリアで第２指示信号を受信する場合、ネットワークデバイスと同期するために同期信号を使用するかを決定するように第２端末デバイスに命令するために使用される。
【００１８】
前述の方法によれば、第１端末デバイスは、予め設定されたパラメータの測定値、第５決定閾値、および第６決定閾値に基づいて、指示信号を受信しない場合、指示信号を受信するが指示信号をネットワークデバイスとの同期に使用しない場合と、指示信号を受信し、指示信号をネットワークデバイスとの同期に使用する場合と、を正確に決定できる。したがって、方式３では、第１端末デバイスとネットワークデバイスとが互いに正常に通信することをより保証することができ、端末デバイスがネットワークデバイスと通信するために常に低消費電力方式を選択することをより保証することができる。
【００１９】
実行可能な設計例では、ネットワークデバイスは、第３構成情報を送信し、第３構成情報は、第９決定閾値を示す。第９決定閾値は、第１キャリアで第１指示信号を受信するかを決定するように第１端末デバイスに命令するために使用され、第２キャリアで第２指示信号を受信するかを決定するように第２端末デバイスに命令するために使用される。
【００２０】
実行可能な設計例では、ネットワークデバイスは、第４構成情報を送信し、第４構成情報は、第１０決定閾値を示す。第１０決定閾値は、第１キャリアで第１指示信号を受信する場合に、ネットワークデバイスと同期するために同期信号を使用するかを決定するように第１端末デバイスに命令するために使用され、第２キャリアで第２指示信号を受信する場合に、ネットワークデバイスと同期するために同期信号を使用するかを決定するように第２端末デバイスに命令するために使用される。
【００２１】
実行可能な設計例では、ネットワークデバイスは、第５構成情報を送信し、第５構成情報は、第１１決定閾値および第１２決定閾値を示す。第１１決定閾値は、第１２決定閾値未満である。第１１決定閾値および第１２決定閾値は、第１キャリアで第１指示信号を受信するかを決定し、第１キャリアで第１指示信号を受信する場合、ネットワークデバイスと同期するために同期信号を使用するかを決定するように第１端末デバイスに命令するために使用され、第２キャリアで第２指示信号を受信するかを決定し、第２キャリアで第２指示信号を受信する場合、ネットワークデバイスと同期するために同期信号を使用するかを決定するように第２端末デバイスに命令するために使用される。
【００２２】
したがって、ネットワークデバイスは、各キャリアに対応する決定閾値を構成する必要があり、または異なるキャリアに同じ決定閾値を均一に構成し得る。
【００２３】
第２態様によれば、本願の一実施形態は、指示信号構成方法であって、第１端末デバイスによって、ネットワークデバイスによって送信された第１構成情報を受信する段階と、第１キャリアで第１指示信号を受信する段階と、第１端末デバイスによって、第１指示信号に関連する信号を受信すること、または第１指示信号に関連するチャネルを処理することを継続する段階、もしくは第１指示信号に関連する信号を受信すること、または第１指示信号に関連するチャネルを処理することを継続する段階を省略する段階とを備え、第１構成情報は、第１キャリアで送信される第１指示信号の期間を示すために使用され、第１指示信号の期間は、第２キャリアで第２端末デバイスによって受信される第２指示信号の期間から独立しており、第１指示信号は、第１端末デバイスが第１指示信号に関連する信号の受信を継続するか、または第１指示信号に関連するチャネルの処理を継続するかを示すために使用され、第２指示情報は、第２端末デバイスが第２指示信号に関連する信号の受信を継続するか、または第２指示信号に関連するチャネルの処理を継続するかを示すために使用される、指示信号構成方法を提供する。
【００２４】
１つの指示信号の期間が異なるキャリアに対して均一に構成される従来技術と比較して、本願のこの実施形態では、ネットワークデバイスは、各キャリア構成に対応する指示信号の期間に基づいて、指示信号に対応するカバレッジエリアを柔軟に調整することができ、指示信号のオーバヘッドを効果的に制御することができる。
【００２５】
実行可能な設計例では、第１指示信号の期間は、第２指示信号の期間とは異なる。
【００２６】
実行可能な設計例では、第１構成情報は、第１決定閾値をさらに示し、方法はさらに、第１端末デバイスによって、予め設定されたパラメータの測定値が第１決定閾値以上であることを決定する段階と、第１端末デバイスによって、第１キャリアで第１指示信号を受信する段階とを含む。
【００２７】
実行可能な設計例では、第１構成情報はさらに第３決定閾値を示し、当該方法はさらに以下を含む。
予め設定されたパラメータの測定値が第３決定閾値未満であると第１端末デバイスが決定した場合、第１端末デバイスによって、第１キャリアで第１指示信号を受信する段階であって、同期信号を使用してネットワークデバイスと同期する、受信する段階、または予め設定されたパラメータの測定値が第３決定閾値以上であると第１端末デバイスが決定した場合、第１端末デバイスによって、第１キャリアで第１指示信号を受信する段階であって、第１指示信号を使用してネットワークデバイスと同期する、受信する段階。
【００２８】
実行可能な設計例では、第１構成情報は、第５決定閾値および第６決定閾値をさらに示し、第５決定閾値は、第６決定閾値未満であり、当該方法は、第１端末デバイスが、予め設定されたパラメータの測定値が第５決定閾値より大きいまたはこれに等しく第６決定閾値未満であると決定する場合、第１端末デバイスによって、第１キャリアで第１指示信号を受信し、同期信号を使用してネットワークデバイスと同期する段階、または、第１端末デバイスが、予め設定されたパラメータの測定値が第６決定閾値より大きいまたはこれに等しいと決定する場合、第１端末デバイスによって、第１キャリアで第１指示信号を受信し、ネットワークデバイスと同期するために第１指示信号を使用する段階をさらに含む。
【００２９】
実行可能な設計例では、第１端末デバイスは、アンカーキャリア上で基準信号を受信し、アンカーキャリアは、第１キャリアまたは他のキャリアであり、第１端末デバイスは、基準信号に対応する基準信号受信電力ＲＳＲＰを、予め設定されたパラメータの測定値として決定する。
【００３０】
第３態様によれば、本願の一実施形態は、指示信号構成方法であって、ネットワークデバイスによって、第１構成情報を送信する段階を備え、第１構成情報は、第１決定閾値、または第２決定閾値、または第１決定閾値および第２決定閾値を示し、第１決定閾値は、第１キャリアで第１指示信号を受信するかを決定するように第１端末デバイスに命令するために使用され、第２決定閾値は、第１キャリアで第１指示信号を受信する場合、ネットワークデバイスと同期するために同期信号を使用するかを決定するように第１端末デバイスに命令するために使用され、第１端末デバイスは、第１指示信号を受信する必要がある端末デバイスである、指示信号構成方法を提供する。
【００３１】
このように、ネットワークデバイスは、様々な決定閾値を柔軟に構成することができる。その結果、決定閾値に基づいて、端末デバイスは、第１キャリア上で第１指示信号を受信することを決定するか、または第１キャリア上で第１指示信号を受信する前に同期信号を使用してネットワークデバイスと同期するかを決定する。
【００３２】
実行可能な設計例では、第１決定閾値は第１キャリアに対応し、第２決定閾値は第１キャリアに対応する。
【００３３】
実行可能な設計例では、第１決定閾値はさらに、第２キャリアで第２指示信号を受信するかどうかを決定するように第２端末デバイスに命令するために使用され、第２決定閾値は、第２キャリアで第２指示信号を受信した場合に、ネットワークデバイスと同期するために同期信号を使用するかどうかを決定するように第２端末デバイスに命令するために使用される。第２端末デバイスは、第２指示信号を受信する必要がある端末デバイスである。
【００３４】
第４態様によれば、本願の一実施形態は、指示信号構成方法であって、第１端末デバイスによって、第１構成情報を受信する段階を備え、第１構成情報は、第１決定閾値、または第２決定閾値、または第１決定閾値および第２決定閾値を示し、第１決定閾値は、第１キャリアで第１指示信号を受信するかを決定するように第１端末デバイスに命令するために使用され、第２決定閾値は、第１キャリアで第１指示信号を受信する場合に、ネットワークデバイスと同期するために同期信号を使用するかを決定するように第１端末デバイスに命令するために使用され、第１指示信号は、第１端末デバイスが第１指示信号に関連する信号またはチャネルの受信を継続するかを指示するために使用され、第１端末デバイスは、第１指示信号を受信する必要がある端末デバイスである、指示信号構成方法を提供する。
【００３５】
実行可能な設計例では、第１決定閾値は第１キャリアに対応し、第２決定閾値は第１キャリアに対応する。
【００３６】
実行可能な設計例では、第１決定閾値はさらに、第２キャリアで第２指示信号を受信するかどうかを決定するように第２端末デバイスに命令するために使用され、第２決定閾値は、第２キャリアで第２指示信号を受信した場合に、ネットワークデバイスと同期するために同期信号を使用するかどうかを決定するように第２端末デバイスに命令するために使用される。第２端末デバイスは、第２指示信号を受信する必要がある端末デバイスである。
【００３７】
実行可能な設計例では、第１構成情報は第１決定閾値を示し、方法はさらに以下を含む。第１端末デバイスによって、予め設定されたパラメータの測定値が第１決定閾値より大きいまたはこれに等しいと決定し、第１端末デバイスによって、第１キャリアで第１指示信号を受信する。
【００３８】
実行可能な設計例では、第１構成情報は第２決定閾値を示し、方法はさらに以下を含む。第１端末デバイスが、予め設定されたパラメータの測定値が第２決定閾値未満であると決定した場合、第１端末デバイスによって、第１キャリアで第１指示信号を受信する段階であって、同期信号を使用してネットワークデバイスと同期する、受信する段階と、または、第１端末デバイスが、予め設定されたパラメータの測定値が第２決定閾値以上であると決定した場合、第１端末デバイスによって、第１キャリアで第１指示信号を受信する段階であって、第１指示信号を使用してネットワークデバイスと同期する、受信する段階。
【００３９】
実行可能な設計例では、第１構成情報は第１決定閾値および第２決定閾値を示し、方法はさらに以下を含む。第１端末デバイスが、予め設定されたパラメータの測定値が第１決定閾値より大きいまたはこれに等しく第２決定閾値未満であると決定する場合、第１端末デバイスによって、第１キャリアで第１指示信号を受信し、同期信号を使用してネットワークデバイスと同期する段階、または、第１端末デバイスが、予め設定されたパラメータの測定値が第２決定閾値より大きいまたはこれに等しいと決定する場合、第１端末デバイスによって、第１キャリアで第１指示信号を受信し、第１指示信号を使用してネットワークデバイスと同期する段階。
【００４０】
第５態様によれば、本願は、第１態様または第１態様の可能な設計のいずれか１つにおける方法を実行するための指示信号構成装置を提供する。具体的に言うと、装置は、第１態様または第１態様の可能な実装態様のいずれか１つにおけ方法を実行するように構成されたユニットを含む。
【００４１】
第６態様によれば、本願は、第３態様または第３態様の可能な設計のいずれか１つにおける方法を実行するための指示信号構成装置を提供する。具体的に言うと、装置は、第３態様または第３態様の可能な実現態様のいずれか１つにおける方法を実行するように構成されたユニットを含む。
【００４２】
第７態様によれば、本願は、第２態様または第２態様の可能な設計のいずれか１つにおける方法を実行するための指示信号構成装置を提供する。具体的に言うと、装置は、第２態様または第２態様の可能な実現態様のいずれか１つにおける方法を実行するように構成されたユニットを含む。
【００４３】
第８態様によれば、本願は、第４態様または第４態様の可能な設計のいずれか１つにおける方法を実行するための指示信号構成装置を提供する。具体的に言うと、装置は、第４態様または第４態様の可能な実現態様のいずれか１つにおける方法を実行するように構成されたユニットを含む。
【００４４】
第９態様によれば、本願はネットワークデバイスを提供する。デバイスは、プロセッサ、送受信機、およびメモリを含む。メモリは、プログラムコードを格納するように構成され得、プロセッサは、メモリ内のプログラムコードを呼び出して、第１態様または第１態様の可能な実現態様のいずれか１つにおける方法を実行するように構成される。具体的な実行ステップについては、第１態様を参照する。詳細についてはここで再度説明しない。
【００４５】
第１０態様によれば、本願はネットワークデバイスを提供する。デバイスは、プロセッサ、送受信機、およびメモリを含む。メモリは、プログラムコードを格納するように構成され得、プロセッサは、メモリ内のプログラムコードを呼び出して、第３態様または第３態様の可能な実現態様のいずれか１つにおける方法を実行するように構成される。具体的な実行ステップについては、第３態様を参照する。詳細についてはここで再度説明しない。
【００４６】
第１１態様によれば、本願は端末デバイスを提供する。デバイスは、プロセッサ、送受信機、およびメモリを含む。メモリは、プログラムコードを格納するように構成され得、プロセッサは、メモリ内のプログラムコードを呼び出して、第２態様または第２態様の可能な実現態様のいずれか１つにおける方法を実行するように構成される。具体的な実行ステップについては、第２態様を参照する。詳細についてはここで再度説明しない。
【００４７】
第１２態様によれば、本願は端末デバイスを提供する。デバイスは、プロセッサ、送受信機、およびメモリを含む。メモリは、プログラムコードを格納するように構成され得、プロセッサは、メモリ内のプログラムコードを呼び出して、第４態様または第４態様の可能な実現態様のいずれか１つにおける方法を実行するように構成される。具体的な実行ステップについては、第４態様を参照する。詳細についてはここで再度説明しない。
【００４８】
第１３の態様によれば、本願の一実施形態は、コンピュータ可読記憶媒体をさらに提供する。コンピュータ可読記憶媒体は、プログラムを格納する。プログラムがコンピュータで実行されるとき、コンピュータは前述の態様における方法を実行することが可能になる。
【００４９】
第１４態様によれば、本願は、プログラムを含むコンピュータプログラム製品をさらに提供する。コンピュータプログラム製品がコンピュータで実行されるとき、コンピュータは前述の態様における方法を実行することが可能になる。
【図面の簡単な説明】
【００５０】
【図１】バックグラウンドの指示信号に基づいて、端末デバイスによってターゲット検索空間内のＰＤＣＣＨを検出する概略図１である。
【００５１】
【図２】は、本願の一実施形態によるシステムアーキテクチャの概略図である。
【００５２】
【図３ａ】本願の一実施形態による、指示信号構成方法の概略フローチャートである。
【図３ｂ】本願の一実施形態による、指示信号構成方法の概略フローチャートである。
【００５３】
【図４】本願の一実施形態による、端末デバイスによってターゲット検索空間内のＰＤＣＣＨを検出する概略図である。
【００５４】
【図５ａ】本願の一実施形態による、指示信号に基づいて、端末デバイスによってターゲット検索空間内のＰＤＣＣＨを検出する概略図２である。
【図５ｂ】本願の一実施形態による、指示信号に基づいて、端末デバイスによってターゲット検索空間内のＰＤＣＣＨを検出する概略図２である。
【００５５】
【図６ａ】本願の一実施形態による、指示信号に基づいて、端末デバイスによってターゲット検索空間内のＰＤＣＣＨを検出する概略図３である。
【図６ｂ】本願の一実施形態による、指示信号に基づいて、端末デバイスによってターゲット検索空間内のＰＤＣＣＨを検出する概略図３である。
【００５６】
【図７】本願の一実施形態による、指示信号に基づいて、端末デバイスによってターゲット検索空間内のＰＤＣＣＨを検出する概略図４である。
【００５７】
【図８】本願の一実施形態による、通信装置の概略図である。
【００５８】
【図９】本願の一実施形態による、通信装置の概略図である。
【００５９】
【図１０】本願の一実施形態による、通信装置の概略図である。
【００６０】
【図１１】本願の一実施形態による、通信装置の概略図である。
【００６１】
【図１２】本願の一実施形態による、通信システムの概略図である。
【発明を実施するための形態】
【００６２】
以下では、添付の図面を参照しながら、本願の実施形態を説明する。本願で説明する技術は、例えば、符号分割多重アクセス（ｃｏｄｅ  ｄｉｖｉｓｉｏｎ  ｍｕｌｔｉｐｌｅ  ａｃｃｅｓｓ、ＣＤＭＡ）、周波数多重アクセス（ｆｒｅｑｕｅｎｃｙ  ｄｉｖｉｓｉｏｎ  ｍｕｌｔｉｐｌｅ  ａｃｃｅｓｓ，  ＦＤＭＡ）、時分割多重アクセス（ｔｉｍｅ  ｄｉｖｉｓｉｏｎ  ｍｕｌｔｉｐｌｅ  ａｃｃｅｓｓ，  ＴＤＭＡ）、直交周波数分割多重アクセス（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ，  ＯＦＤＭＡ）、および単一搬送波周波数分割多重アクセス（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ，  ＳＣ−ＦＤＭＡ）などのアクセス技術を使用するシステムなど、様々な無線アクセス技術を使用する無線通信システムに適用され得る。これらの技術は、第５世代５Ｇ（新無線（ｎｅｗ  ｒａｄｉｏ，  ＮＲ）とも称される）システムなど、その後の発展型のシステムにも適用可能である。
【００６３】
本願の実施形態におけるネットワーク要素は、ネットワークデバイスおよび端末を含む。ネットワークデバイスは、端末が移動通信システムに無線でアクセスするためのアクセスデバイスである。ネットワークデバイスは、基地局（ＮｏｄｅＢ）、発展型基地局（ｅＮｏｄｅＢ）、５Ｇ移動通信システムの基地局、将来の移動通信システムの基地局、Ｗｉ−ｆｉ（登録商標）システムのアクセスノード、などであり得る。ネットワークデバイスによって使用される具体的な技術および具体的なデバイス形態は、本願の実施形態では限定されるものではない。
【００６４】
端末デバイス（Ｔｅｒｍｉｎａｌ  ｅｑｕｉｐｍｅｎｔ）は、ユーザ機器（ｕｓｅｒ  ｅｑｕｉｐｍｅｎｔ，  ＵＥ）、移動局（ｍｏｂｉｌｅ  ｓｔａｔｉｏｎ，  ＭＳ）、移動端末（ｍｏｂｉｌｅ  ｔｅｒｍｉｎａｌ，  ＭＴ）などであり得る。端末は、携帯電話（ｍｏｂｉｌｅ  ｐｈｏｎｅ）、タブレットコンピュータ（Ｐａｄ）、無線送受信機機能を備えたコンピュータ、仮想現実（Ｖｉｒｔｕａｌ  Ｒｅａｌｉｔｙ，  ＶＲ）端末デバイス、拡張現実（Ａｕｇｍｅｎｔｅｄ  Ｒｅａｌｉｔｙ，  ＡＲ）端末デバイス、産業用制御（ｉｎｄｕｓｔｒｉａｌ  ｃｏｎｔｒｏｌ）の無線端末、自動運転（ｓｅｌｆ  ｄｒｉｖｉｎｇ）の無線端末、遠隔医療手術（ｒｅｍｏｔｅ  ｍｅｄｉｃａｌ  ｓｕｒｇｅｒｙ）の無線端末、スマートグリッド（ｓｍａｒｔ  ｇｒｉｄ）の無線端末、交通安全（ｔｒａｎｓｐｏｒｔａｔｉｏｎ  ｓａｆｅｔｙ）の無線端末、スマートシティ（ｓｍａｒｔ  ｃｉｔｙ）の無線端末、スマートホーム（ｓｍａｒｔ  ｈｏｍｅ）の無線端末などであり得る。
【００６５】
図２には、本願の実施形態におけるシステムアーキテクチャの図が示される。ネットワークデバイスとユーザ機器（Ｕｓｅｒ  Ｅｑｕｉｐｍｅｎｔ，  ＵＥ）１からＵＥ３は、通信システムを構成する。通信システムでは、ＵＥ１からＵＥ３は、アップリンクデータをネットワークデバイスに送信し得、ＵＥ１からＵＥ３はまた、ネットワークデバイスによって送信されたダウンリンクデータをも受信し得る。
【００６６】
本願の実施形態は、主にモノのインターネット、狭帯域のモノのインターネット、または新無線システムに適用される。
【００６７】
一例としてＮＢ−ＩｏＴを使用すると、１つのＮＢ−ＩｏＴキャリア（ｃａｒｒｉｅｒ）は周波数ドメインで１８０ｋＨｚを占有し、ＬＴＥでは１２個の１５−ｋＨｚサブキャリア間隔の幅に対応する。ＮＢ−ＩｏＴキャリアは、アンカー（Ａｎｃｈｏｒ）ＮＢ−ＩｏＴキャリアと非アンカー（ｎｏｎ−ａｎｃｈｏｒ）ＮＢ−ＩｏＴキャリアへ分類される。アンカーＮＢ−ＩｏＴキャリアは、ＰＳＳ、ＳＳＳ、または物理ブロードキャストチャネル（Ｐｈｙｓｉｃａｌ  Ｂｒｏａｄｃａｓｔ  Ｃｈａｎｎｅｌ、ＰＢＣＨ）の少なくとも１つを保持するキャリアであり、非アンカーキャリアはＰＳＳ、ＳＳＳ、またはＰＢＣＨを保持しない。
【００６８】
初期のネットワーク検索中に、端末デバイスがＰＳＳとＳＳＳとを見つけてＰＢＣＨを復調した後、すなわち、端末デバイスがアンカーＮＢ−ＩｏＴキャリアを見つけた後、端末デバイスはアンカーＮＢ−ＩｏＴキャリアにキャンプオンし得る。非アンカーキャリアは、システム情報ブロック（Ｓｙｓｔｅｍ  Ｉｎｆｏｒｍａｔｉｏｎ  Ｂｌｏｃｋ，  ＳＩＢ）情報を使用することにより、アンカーＮＢ−ＩｏＴキャリアで構成され得る。端末デバイスは、非アンカーキャリアに基づいてページング（ｐａｇｉｎｇ）を完了し、ランダムアクセスチャネル（ＲＡＣＨ，  Ｒａｎｄｏｍ  ａｃｃｅｓｓ  ｃｈａｎｎｅｌ）を介してランダムアクセス手順を完了し得る。端末デバイスが接続モードの場合、ネットワークデバイスは、無線リソース制御（Ｒａｄｉｏ  Ｒｅｓｏｕｒｃｅ  Ｃｏｎｔｒｏｌ、ＲＲＣ）シグナリングを使用して端末デバイスの非アンカーキャリアを代替的に構成し得、端末デバイスとネットワークデバイスは非アンカーキャリアに基づいて互いに通信し得る。
【００６９】
指示信号が前述の２つの機能を実装できるかどうかは、指示信号の設計が、指示信号を使用してネットワークデバイスと同期する端末デバイスをサポートできるかどうかに関連することに加えて、指示信号の期間（Ｄｕｒａｔｉｏｎ）に関連する。一例としてＮＢ−ＩｏＴを使用すると、異なるＮＢ−ＩｏＴキャリアは異なる伝送電力を持ち得る。したがって、異なるＮＢ−ＩｏＴキャリアで指示信号は、異なるカバレッジエリアを持つ。例えば、１ｍｓのサブフレーム長の伝送指示信号は、１４４ｄＢの最大結合損失（Ｍａｘｉｍｕｍ  ｃｏｕｐｌｉｎｇ  Ｌｏｓｓ，  ＭＣＬ）を持つ端末のみをサポートできるが、ＭＣＬが１６４ｄＢの端末デバイスは、指示信号の確実な検出をし得ない。したがって、指示信号の期間は指示信号のカバレッジエリアに関連する。指示信号が最低のセルカバレッジを有する端末デバイスの受信要件を満たす必要がある場合、指示信号の比較的長い期間が必要である。セル内の全ての端末デバイスが指示信号でカバーされることが可能になる場合、指示チャネルの期間が過度に長くなり得る。その結果、指示信号の比較的高いオーバヘッドが生じ得、別のサービスのスケジューリングがさらに影響を受け得る。これに基づいて、本願の実施形態は、指示信号のカバレッジエリアを柔軟に調整し、指示信号のオーバヘッドを制御するための指示信号構成方法を提供する。
【００７０】
本願の実施形態では、指示信号は、ウェイクアップ信号（Ｗａｋｅｕｐ  ｓｉｇｎａｌ，  ＷＵＳ）または省電力信号（ｐｏｗｅｒ  ｓａｖｉｎｇ  ｓｉｇｎａｌ）とも称される。しかしながら、一般性を失うことなく、既存の信号またはチャネルの前に送信され、信号に関連する信号の受信を継続するか、または信号に関連するチャネルを処理するかを信号に基づいて決定するために端末デバイスによって使用される全ての信号は、本願の指示信号の範囲に含まれる。本願の実施形態は、本願の一般性を失うことなく、一例としてＷＵＳを使用することによって説明される。
【００７１】
図３ａは、指示信号構成方法のフローチャートである。方法は以下に挙げる段階を含む。
【００７２】
段階３００：ネットワークデバイスは、第１構成情報および第２構成情報を送信する。
【００７３】
第１構成情報は、第１キャリアに対応する第１指示信号の期間を示すために使用される。第２構成情報は、第２キャリアに対応する第２指示信号の期間を示すために使用される。第１指示信号は、第１端末デバイスが、第１指示情報に関連する信号またはチャネルを受信を継続する必要があるかを示すために使用される。第２指示情報は、第２端末デバイスが第２指示情報に関連する信号またはチャネルの受信を継続する必要があるかを示すために使用される。第１端末デバイスは、第１指示信号を受信する必要がある端末デバイスである。第２端末デバイスは、第２指示信号を受信する必要がある端末デバイスである。
【００７４】
端末デバイスは、端末デバイスの識別子に基づいて、予め設定されたルールに従って、処理する必要があるキャリアまたは動作キャリアを決定し、さらに、受信する必要がある指示信号を決定することを理解されたい。例えば、端末デバイスは、上位層のユーザ識別子に基づく計算により、ネットワークデバイスと合意した予め設定されたルールに従ってキャリアＩＤを取得し、その結果、端末デバイスは、キャリアＩＤに対応するキャリアでページングメッセージを受信すること、またはキャリアＩＤに対応するキャリアにアップリンク物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を送信することを決定する。
【００７５】
具体的に言うと、ネットワークデバイスは、アンカーキャリアで第１構成情報および第２構成情報をブロードキャスト方法で送信する。
【００７６】
実行可能な設計例では、第１指示信号の期間および第２指示信号の期間は別個に構成される。
【００７７】
実行可能な設計例では、第１指示信号の期間は第２指示信号の期間とは異なる。
【００７８】
実行可能な設計例では、第１キャリアはアンカーキャリアであり、第２キャリアは非アンカーキャリアである。または、第１キャリアは非アンカーキャリアであり、第２キャリアはアンカーキャリアである。
【００７９】
実行可能な設計例では、第１指示信号の期間および第２指示信号の期間の構成は、指示信号のターゲットカバレッジエリアおよび第１キャリアと第２キャリアとの間の電力差に基づいて決定され得る。一般性を失うことなく、ターゲットカバレッジエリアは、端末デバイスのターゲット検出パフォーマンス（誤警報率と失敗検出率パフォーマンスを含む）を満たすことができる最大ＭＣＬに対応するカバレッジエリアである。ＭＣＬはカバレッジの尺度である。
【００８０】
実行可能な設計例では、第１構成情報および第２構成情報は、１つのメッセージまたは２つのメッセージで伝送され得る。
【００８１】
例えば、第１キャリアがアンカーキャリアであり、第２キャリアが非アンカーキャリアであるとき、ネットワークデバイスは、第１構成情報および第２構成情報を２つのメッセージに追加し、２つのメッセージを端末デバイスにブロードキャストし得る。別の例として、第１キャリアが非アンカーキャリアであり、第２キャリアが非アンカーキャリアであるとき、ネットワークデバイスは、１つのメッセージの異なる構成分野に第１構成情報および第２構成情報を追加し、メッセージを端末デバイスへブロードキャストし得る。
【００８２】
説明のための例として、前述は第１キャリアおよび第２キャリアのみを使用することを理解されたい。ネットワークデバイスは、複数の構成情報をブロードキャストし得、各構成情報は、キャリアに対応する指示信号の期間を示す。一般性を失うことなく、本願はさらに、１つのキャリアのみが構成されている場合を保護する。
【００８３】
具体的に言うと、第１構成情報を使用して指示されたまたは設定済みの、第１キャリアに対応する第１指示信号の期間は、第１端末デバイスが、第１指示信号の指示されたまたは設定済みの期間を検出した後にのみ、ネットワークデバイスが第１指示信号を送信しないことを決定できることを意味する。誤警報および失敗検出パフォーマンスを確保するために、端末デバイスは、十分に長い時間（設定済みの期間）の間に送信された信号を検出した後、または期間中に送信された信号に対して共同検出を実行した後にのみ、第１指示信号が検出されないことを決定できる。
【００８４】
しかしながら、第１端末デバイスの場合、端末デバイスが良いカバレッジ内に配置されているとき、端末デバイスが設定済みの期間の長さよりも短い時間内に第１指示時間を検出すると決定する可能性が非常に高い。したがって、ネットワークデバイスの実装では、ネットワークデバイスが、第１端末デバイスが良いカバレッジ内に配置されていると決定した場合、ネットワークデバイスがＷＵＳ信号を送信する必要があるとき、ネットワークデバイスがＷＵＳを送信する実際の時間長は、第１構成情報により構成されたまたは指示された第１キャリアに対応する第１指示信号の期間より短くてよい。
【００８５】
段階３２０ａ：第１端末デバイスは、ネットワークデバイスによって送信された第１構成情報を受信し、第１構成情報を解析する。
【００８６】
第１端末デバイスは、ネットワークデバイスによって送信された第１構成情報および第２構成情報を受信できることを理解されたい。
【００８７】
本明細書で、第１端末デバイスの識別子に基づいて、予め設定されたルールに従って第１端末デバイスによって決定されるキャリアが第１キャリアであり、第１端末デバイスが第１指示信号の受信をサポートするか、または受信する必要があると仮定する。さらに、第１端末デバイスは、解析される必要がある構成情報が第１構成情報であると決定する。
【００８８】
段階３２０ｂ：第２端末デバイスは、ネットワークデバイスによって送信された第２構成情報を受信し、第２構成情報を解析する。
【００８９】
同様に、第２端末デバイスは、ネットワークデバイスによって送信された第１構成情報および第２構成情報を受信できる。本明細書で、第２端末デバイスの識別子に基づいて、予め設定されたルールに従って第２端末デバイスによって決定されるキャリアが第２キャリアであり、第２端末デバイスが第２指示信号の受信をサポートするか、または第２指示信号を受信する必要があると仮定する。さらに、第２端末デバイスは、解析される必要がある構成情報が第２構成情報であると決定する。
【００９０】
段階３３０：ネットワークデバイスは、第１キャリアで第１指示信号を送信し、第２キャリアで第２指示信号を送信する。
【００９１】
段階３４０ａ：第１端末デバイスは、第１キャリアで第１指示信号を受信する。
【００９２】
段階３４０ｂ：第２端末デバイスは、第２キャリアで第２指示信号を受信する。
【００９３】
１つの指示信号の期間が異なるキャリアに対して均一に構成される従来技術と比較して、本願のこの実施形態では、ネットワークデバイスは、各キャリア構成に対応する指示信号の期間に基づいて、指示信号に対応するカバレッジエリアを柔軟に調整でき、指示信号のオーバヘッドを効果的に制御できる。
【００９４】
段階３５０ａ：第１端末デバイスは、第１指示情報に関連する信号またはチャネルの受信を継続する。
【００９５】
この場合、第１指示信号は、第１指示情報に関連する信号またはチャネルの受信を継続するように第１端末デバイスに命令する。
【００９６】
段階３５０ｂ：第２端末デバイスは、第１指示情報に関連する信号またはチャネルの受信を継続することを省略する。
【００９７】
この場合、第２指示信号は、第２指示情報に関連する信号またはチャネルの受信を継続することを省略するように第２端末デバイスに命令する。
【００９８】
図３ｂは、指示信号構成方法のフローチャートである。方法は以下に挙げる段階を含む。
【００９９】
別の実施形態では、方法は以下に挙げる段階を含む。
【０１００】
段階３００'：ネットワークデバイスは第１構成情報を送信する。
【０１０１】
第１構成情報は、第１キャリアに対応する第１指示信号の期間を示すために使用され、第１指示信号は、第１端末デバイスが第１指示情報に関連する信号またはチャネルの受信を継続する必要があるかを示すために使用される。第１端末デバイスは、第１指示信号を受信する必要がある端末デバイスである。
【０１０２】
端末デバイスは、端末デバイスの識別子に基づいて、予め設定されたルールに従って、処理する必要があるキャリアまたは動作キャリアを決定し、さらに、受信する必要がある指示信号を決定することを理解されたい。例えば、端末デバイスは、上位層のユーザ識別子に基づいて、ネットワークデバイスと合意した予め設定されたルールに従って計算によりキャリアＩＤを取得し、その結果、端末デバイスは、キャリアＩＤに対応するキャリアでページングメッセージを受信すること、またはキャリアＩＤに対応するキャリアにアップリンク物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を送信することを決定する。
【０１０３】
具体的に言うと、ネットワークデバイスは、アンカーキャリアで第１構成情報をブロードキャスト方法で送信する。
【０１０４】
実行可能な設計例では、第１キャリアはアンカーキャリアであり、または第１キャリアは非アンカーキャリアである。
【０１０５】
実行可能な設計例では、第１指示信号の期間の構成は、指示信号のターゲットカバレッジエリアおよび第１キャリアとアンカーキャリアの電力差に基づいて決定され得る。一般性を失うことなく、ターゲットカバレッジエリアは、端末デバイスのターゲット検出パフォーマンス（誤警報や失敗検出パフォーマンスを含む）を満たすことができる最大ＭＣＬに対応するカバレッジエリアである。ＭＣＬはカバレッジの尺度である。
【０１０６】
説明のための一例として、前述は第１キャリアのみの使用であることを理解されたい。ネットワークデバイスは、複数の構成情報をブロードキャストし得、各構成情報は、キャリアに対応する指示信号の期間を示す。一般性を失うことなく、本願はさらに、１つのキャリアのみが構成されている場合を保護する。
【０１０７】
具体的に言うと、第１構成情報を使用して指示されたまたは設定済みの、第１キャリアに対応する第１指示信号の期間は、第１端末デバイスが、第１指示信号の指示されたまたは設定済みの期間を検出した後にのみ決定できること、すなわち、基地局が第１指示信号を送信しないことを意味する。誤警報と失敗検出パフォーマンスを確保するために、端末デバイスは、十分に長い時間（設定済みの期間）の間に送信された信号を検出した後、または期間中に送信された信号に対して共同検出を実行した後にのみ、第１指示信号が検出されないことを決定できる。
【０１０８】
しかしながら、第１端末デバイスの場合、端末デバイスが良いカバレッジ内に配置されているとき、端末デバイスが設定済みの期間の長さよりも短い時間内に第１指示時間を検出すると決定する可能性が非常に高い。したがって、基地局の実施において、第１端末デバイスが良いカバレッジ内に位置すると基地局が決定する場合、基地局がＷＵＳ信号を送信する必要があるとき、基地局がＷＵＳを送信する実際の時間は、第１構成情報を使用して指示および設定済みの、第１キャリアに対応する第１指示信号の期間より短くあり得る。
【０１０９】
段階３２０ａ'：第１端末デバイスは、ネットワークデバイスによって送信された第１構成情報を受信し、第１構成情報を解析する。
【０１１０】
第１端末デバイスは、ネットワークデバイスによって送信された第１構成情報を受信できることを理解されたい。
【０１１１】
本明細書で、第１端末デバイスの識別子に基づいて、予め設定されたルールに従って第１端末デバイスによって決定されるキャリアが第１キャリアであり、第１端末デバイスが第１指示信号の受信をサポート、または受信する必要があると仮定する。さらに、第１端末デバイスは、解析される必要がある構成情報が第１構成情報であると決定する。
【０１１２】
段階３３０'：ネットワークデバイスは、第１キャリアで第１指示信号を送信する。
【０１１３】
段階３４０ａ'：第１端末デバイスは、第１キャリアで第１指示信号を受信する。
【０１１４】
１つの指示信号の期間が異なるキャリアに対して均一に構成される従来技術と比較して、本願のこの実施形態では、ネットワークデバイスは、各キャリア構成に対応する指示信号の期間に基づいて、指示信号に対応するカバレッジエリアを柔軟に調整することができ、指示信号のオーバヘッドを効果的に制御できる。
【０１１５】
段階３５０ａ'：第１端末デバイスは、第１指示情報に関連する信号またはチャネルの受信を継続する。この場合、第１指示信号は、第１指示情報に関連する信号またはチャネルの受信を継続するように第１端末デバイスに命令する。または、端末デバイスは、第１指示情報に関連する信号またはチャネルの受信を継続することを省略する。この場合、第１指示信号は、第１指示情報に関連する信号またはチャネルの受信の継続を省略するように第１端末デバイスに命令する。
【０１１６】
さらに、本願の実施形態は、ネットワークデバイスによる指示信号のために、以下のいくつかのタイプの構成をさらに提供する。以下では、説明のために、第１端末デバイスのみが指示信号を受信する一例を使用する。別の端末デバイスも同じ処理プロセスを有する。以下の構成は、図２に示す実施形態に依存せず、独立して使用し得る。
【０１１７】
方式１：第１構成情報は、第１決定閾値をさらに示し、第１決定閾値は、第１キャリアで第１指示信号を受信するかを決定するように第１端末デバイスに命令するために使用される。
【０１１８】
具体的に言うと、第１端末デバイスが、予め設定されたパラメータの測定値が第１キャリアに対応する第１決定閾値未満であると決定する場合、第１端末デバイスは第１キャリアで第１指示信号を受信しない。または、第１端末デバイスが、予め設定されたパラメータの測定値が第１キャリアに対応する第１決定閾値より大きいまたはこれに等しいと決定する場合、第１端末デバイスは、第１キャリアで第１指示信号を受信する。
【０１１９】
さらに、第１キャリアで第１指示信号を受信することは、端末デバイスが第１指示信号を受信し、第１指示信号の指示に基づいて、第１指示信号に関連する信号の受信を継続し、または第１指示信号に関連するチャネルを処理するかどうかを決定することを意味する。第１指示信号が、第１指示信号に関連する信号の受信を継続するように、または第１指示信号に関連するチャネルを処理するように端末デバイスに命令する場合、端末デバイスは、第１指示信号に関連する信号を受信を継続するか、または第１指示信号に関連するチャネルの処理を継続する。または、第１指示信号が、第１指示信号に関連する信号の受信を継続することを省略するように、または第１指示信号に関連するチャネルを処理を継続することを省略するように端末デバイスに命令する場合、端末デバイスは、第１指示信号に関連する信号の受信、または第１指示信号に関連するチャネルの処理を行わない。オプションとして、端末デバイスは、電力消費を低減するために受信機の電源を切り得る。第１キャリアで第１指示信号を受信しないことは、端末デバイスが第１指示信号を使用せず、第１指示信号に関連する信号を直接受信するか、または第１指示信号に関連するチャネルを直接処理することを意味する。
【０１２０】
前述の説明から、予め設定されたパラメータの測定値が第１キャリアに対応する第１決定閾値未満であるとき、第１端末デバイスは、第１指示信号のターゲットカバレッジエリアの外側に配置されることが分かる。例えば、第１端末デバイスは、セルエッジエリアまたはカバレッジ不良エリアに配置される。第１端末デバイスが、指示信号を受信することによって、第１端末デバイスが指示情報に関連する信号の受信を継続するか、または指示信号に関連するチャネルを処理する必要があるかを引き続き決定する場合、指示信号の検出の失敗により、第１端末デバイスが、受信する必要がある関連する信号を受信しないか、または処理する必要がある関連するチャネルを処理しない可能性が高い。これによりデータ消失を生じ、第１端末デバイスとネットワークデバイスとの間の通信に影響する。
【０１２１】
本明細書における第１決定閾値は、第１キャリアのために構成され、ネットワークデバイスは、異なるキャリアのために異なる決定閾値を構成し得ることを理解されたい。例えば、第２構成情報は、第２決定閾値をさらに示し、第２決定閾値は、第２キャリアで第２指示信号を受信するかを決定するように第２端末デバイスに命令するために使用される。あるいは、ネットワークデバイスは、異なるキャリアに対して同じ決定閾値を均一に構成し得る。詳細は下記方式４を参照する。
【０１２２】
方式２：第１構成情報は、第３決定閾値をさらに示す。
【０１２３】
第１キャリアに対応する第３決定閾値は、第１キャリアで第１指示信号を受信する場合、ネットワークデバイスと同期するために同期信号を使用するかを決定するように第１端末デバイスに命令するために使用される。
【０１２４】
具体的に言うと、第１端末デバイスが、予め設定されたパラメータの測定値が第３決定閾値未満であると決定する場合、第１端末デバイスは、最初に同期信号を使用してネットワークデバイスと同期し、次に第１キャリアで第１指示信号を受信する。あるいは、別の実装形態では、第１端末デバイスが、予め設定されたパラメータの測定値が第３決定閾値未満であると決定する場合、第１端末デバイスは、第１キャリアで第１指示信号を受信する前に同期信号を使用して同期を実行しない。しかし、第１指示信号に関連する信号を受信する前、または第１指示信号に関連するチャネルを処理する前に第１指示信号を受信した後、同期信号を使用してネットワークデバイスと同期する。または、予め設定されたパラメータの測定値が第３決定閾値より大きいまたはこれに等しいと第１端末デバイスが決定する場合、第１端末デバイスは、第１キャリアで第１指示信号を受信し、第１指示信号を使用してネットワークデバイスと同期する。
【０１２５】
前述の説明から、予め設定されたパラメータの測定値が第３決定閾値未満であるとき、第１端末デバイスが引き続き指示信号を使用してネットワークデバイスと同期する場合には、同期障害を引き起こし得ること、および第１端末デバイスとネットワークデバイスとの間の通信に影響することが分かる。したがって、第１端末デバイスは、ネットワークデバイスと同期するために同期信号（例えば、ＰＳＳおよびＳＳＳ）を使用する必要がある。
【０１２６】
本明細書における第３決定閾値は、第１キャリアのために構成され、ネットワークデバイスは、異なるキャリアのために異なる決定閾値を構成し得ることを理解されたい。例えば、第２構成情報はさらに第４決定閾値を示し、第４決定閾値は、第２キャリアで第２指示信号を受信する場合、ネットワークデバイスと同期するために同期信号を使用するかを決定するように第２端末デバイスに命令するために使用される。あるいは、ネットワークデバイスは、異なるキャリアに対して同じ決定閾値を均一に構成し得る。詳細は下記方式５を参照する。
【０１２７】
方式３：第１構成情報は、第５決定閾値および第６決定閾値をさらに示す。第５決定閾値は、第６決定閾値未満である。
【０１２８】
第５決定閾値および第６決定閾値は、第１キャリアで第１指示信号を受信するかを決定し、第１キャリアで第１指示信号を受信する場合に、ネットワークデバイスと同期するために同期信号を使用するかを決定するように第１端末デバイスに命令するために使用される。
【０１２９】
第１端末デバイスが、予め設定されたパラメータの測定値が第５決定閾値未満であると決定する場合、第１端末デバイスは、第１キャリアで第１指示信号を受信しない。
【０１３０】
第１端末デバイスが、予め設定されたパラメータの測定値が第５決定閾値以上であり第６決定閾値未満であると決定した場合、第１端末デバイスは、最初に同期信号を使用してネットワークデバイスと同期し、次に第１キャリアで第１指示信号を受信する。または、第１端末デバイスが、予め設定されたパラメータの測定値が第５決定閾値以上であり第６決定閾値未満であると決定した場合、第１キャリアで第１指示信号を受信した後、第１端末デバイスは、同期信号を使用してネットワークデバイスと同期する。
【０１３１】
第１端末デバイスが、予め設定されたパラメータの測定値が第６決定閾値より大きいまたはこれに等しいと決定する場合、第１端末デバイスは、第１キャリアで第１指示信号を受信し、第１指示信号を使用してネットワークデバイスと同期する。
【０１３２】
方式３は、方式１および方式２の組み合わせとみなされてよい。詳細については、方式１および方式２の具体的な説明を参照する。繰り返される部分については、再度説明しない。
【０１３３】
本明細書における第５決定閾値および第６決定閾値は、第１キャリアに対して構成され、ネットワークデバイスは、異なるキャリアに対して異なる決定閾値を構成し得ることを理解されたい。例えば、第２構成情報は、第７決定閾値および第８決定閾値をさらに示す。第７決定閾値は、第８決定閾値未満である。第７決定閾値および第８決定閾値は、第２キャリアで第２指示信号を受信するかを決定し、第２キャリアで第２指示信号を受信する場合、ネットワークデバイスと同期するために同期信号を使用するかを決定するように第２端末デバイスに命令するために使用される。あるいは、ネットワークデバイスは、異なるキャリアに対して同じ決定閾値を均一に構成し得る。詳細は下記方式６を参照する。
【０１３４】
第５決定閾値は、方式１の第１決定閾値と等しくても等しくなくてもよく、第６決定閾値は、方式２の第３決定閾値と等しくても等しくなくてもよいことを理解されたい。
【０１３５】
方式３で提供される方法によれば、第１端末デバイスは、予め設定されたパラメータの測定値、第５決定閾値、および第６決定閾値に基づいて、指示信号を受信しない場合と、指示信号を受信するが指示信号はネットワークデバイスとの同期に使用しない場合と、指示信号を受信し、指示信号をネットワークデバイスとの同期に使用する場合と、を正確に決定できる。したがって、方式３では、第１端末デバイスとネットワークデバイスとが互いに正常に通信することをより保証でき、端末デバイスがネットワークデバイスと通信するために常に低消費電力方式を選択することを保証する。
【０１３６】
方式１から方式３の決定閾値は全てキャリア構成に基づいている、すなわち、ネットワークデバイスは各キャリアに対応する決定閾値を構成する必要があることを理解されたい。あるいは、ネットワークデバイスは、異なるキャリアに対して同じ決定閾値を均一に構成し得る。方式４から方式６と方式１から方式３の違いは、決定閾値が同じ機能を持つ場合、ネットワークデバイスは１つの決定閾値のみを構成することである。
【０１３７】
方式４：ネットワークデバイスは第３構成情報を送信し、第３構成情報は第９決定閾値を示す。第９決定閾値は、第１キャリアで第１指示信号を受信するかを決定するために第１指示信号を受信する必要がある端末デバイスに命令するために使用され、第２キャリアで第２指示信号を受信するかを決定するように第２端末デバイスに命令するために使用される。
【０１３８】
本明細書の第１キャリアおよび第２キャリアは単なる例であり、セル内に構成された他のキャリアがさらに含まれ得ることを理解されたい。したがって、第１端末デバイスによってどのキャリアが決定されるかに関わらず、対応する指示信号が決定されたキャリアで受信されるかを決定するために、第９決定閾値を使用し得る。
【０１３９】
例えば、端末デバイスＡによって決定されたキャリアが第１キャリアであり、端末デバイスＡが、予め設定されたパラメータの測定値が第９決定閾値より大きいまたはこれに等しいと決定する場合、端末デバイスＡは、第１キャリアで第１指示信号を受信する。または、端末デバイスＡが、予め設定されたパラメータの測定値が第９決定閾値未満であると決定する場合、端末デバイスＡは、第１キャリアで第１指示信号を受信しない。
【０１４０】
例えば、端末デバイスＡによって決定されたキャリアが第２キャリアであり、端末デバイスＡが、予め設定されたパラメータの測定値が第９決定閾値より大きいまたはこれに等しいと決定する場合、端末デバイスＡは、第２キャリアで第２指示信号を受信する。または、端末デバイスＡが、予め設定されたパラメータの測定値が第９決定閾値未満であると決定する場合、端末デバイスＡは、第２キャリアで第２指示信号を受信しない。
【０１４１】
したがって、本明細書における第９決定閾値の機能は、方式１における第１決定閾値の機能と同じである。方式４で提供される方法によれば、ネットワークデバイスは、各キャリアごとに決定閾値を別個に構成する必要がなく、全てのキャリアが１つの決定閾値、すなわち第９決定閾値を共有する。
【０１４２】
方式５：ネットワークデバイスは、第４構成情報を送信し、第４構成情報は、第１０決定閾値を示す。
【０１４３】
第１０決定閾値は、第１キャリアで第１指示信号を受信した場合に、ネットワークデバイスと同期するために同期信号を使用するかどうかを決定するように第１端末デバイスに命令するために使用され、第２キャリアで第２指示信号を受信した場合に、ネットワークデバイスと同期するために同期信号を使用するかどうかを決定するように第２端末デバイスに命令するために使用される。
【０１４４】
第１端末デバイスが、予め設定されたパラメータの測定値が第１０決定閾値未満であると決定する場合、第１端末デバイスは、最初に同期信号を使用してネットワークデバイスと同期し、次に第１キャリアで第１指示信号を受信する。あるいは、第１端末デバイスが、予め設定されたパラメータの測定値が第１０決定閾値未満であると決定する場合、第１キャリアで第１指示信号を受信した後、第１端末デバイスは、同期信号を使用してネットワークデバイスと同期する。
【０１４５】
第１端末デバイスが、予め設定されたパラメータの測定値が第１０決定閾値より大きいまたはこれに等しいと決定する場合、第１端末デバイスは、第１キャリアで第１指示信号を受信し、第１指示信号を使用してネットワークデバイスと同期する。
【０１４６】
したがって、本明細書における第１０決定閾値の機能は、方式２における第３決定閾値の機能と同じである。方式５で提供される方法によれば、ネットワークデバイスは、各キャリアごとに決定閾値を別個に構成する必要がなく、全てのキャリアが１つの決定閾値、すなわち第１０決定閾値を共有する。
【０１４７】
方式６：ネットワークデバイスは、第５構成情報を送信し、第５構成情報は、第１１決定閾値および第１２決定閾値を示す。
【０１４８】
第１１決定閾値および第１２決定閾値は、第１キャリアで第１指示信号を受信するかどうかを決定し、第１キャリアで第１指示信号を受信する場合、ネットワークデバイスと同期するために同期信号を使用するかどうかを決定するように第１端末デバイスに命令するために使用され、第２キャリアで第２指示信号を受信するかどうかを決定し、第２キャリアで第２指示信号を受信する場合、ネットワークデバイスと同期するために同期信号を使用するかどうかを決定するように第２端末デバイスに命令するために使用される。第１１決定閾値は、第１２決定閾値未満である。
【０１４９】
第１端末デバイスにより決定されたキャリアが第１キャリアである。第１端末デバイスが、予め設定されたパラメータの測定値が第１１決定閾値未満であると決定する場合、第１端末デバイスは、第１キャリアで第１指示信号を受信しない。
【０１５０】
第１端末デバイスが、予め設定されたパラメータの測定値が第１１決定閾値以上で第１２決定閾値未満であると決定した場合、第１端末デバイスは、最初に同期信号を使用してネットワークデバイスと同期し、次に第１キャリアで第１指示信号を受信する。 または、第１端末デバイスが、予め設定されたパラメータの測定値が第１１決定閾値以上で第１２決定閾値未満であると決定した場合、第１キャリアで第１指示信号を受信した後、第１端末デバイスは、同期信号を使用してネットワークデバイスと同期する。
【０１５１】
第１端末デバイスが、予め設定されたパラメータの測定値が第１２決定閾値より大きいまたはこれに等しいと決定する場合、第１端末デバイスは、第１キャリアで第１指示信号を受信し、第１指示信号を使用してネットワークデバイスと同期する。
【０１５２】
方式１から方式６における予め設定されたパラメータの測定値は、アンカーキャリア上で送信されるＮＰＳＳＳおよびＮＳＳＳに基づく測定を通じて端末デバイスによって取得されるＲＳＲＰ値であり得る。
【０１５３】
例えば、方式１において、ＲＳＲＰ値が第１決定閾値より大きいとき、第１端末デバイスは第１キャリアで第１指示信号を受信し、第１指示信号を使用して、第１指示信号に関連する信号を受信する必要があるか、または第１指示信号に関連するチャネルを処理する必要があるかを決定する。または、ＲＳＲＰ値が第１決定閾値未満であるとき、第１端末デバイスは、第１指示信号を受信せず、第１指示信号に関連する信号を直接受信するか、または第１指示信号に関連するチャネルを直接処理する。
【０１５４】
同様に、方式４では、ＲＳＲＰ値が第９決定閾値より大きいとき、第１端末デバイスは第１キャリアで第１指示信号を受信し、第１指示信号を使用して、第１指示信号に関連付けられた信号を受信する必要があるか、または第１指示信号に関連付けられたチャネルを処理する必要があるかを決定する。または、ＲＳＲＰ値が第９決定閾値未満であるとき、第１端末デバイスは、第１指示信号を受信せず、第１指示信号に関連する信号を直接受信するか、または第１指示信号に関連するチャネルを直接処理する。
【０１５５】
別の例として、方式２の場合、ＲＳＲＰ値が第３決定閾値より大きいとき、第１端末デバイスが第１キャリアで第１指示信号を受信し、第１指示信号を使用して直接同期を実行することを示す。または、ＲＳＲＰ値が第３決定閾値未満であるとき、第１端末デバイスは、第１指示信号を使用して同期を実行せず、同期信号を使用して、第１指示信号を受信する前または後に同期を実行する。
【０１５６】
同様に、方式５では、ＲＳＲＰ値が第１０決定閾値より大きいとき、第１端末デバイスが第１キャリアで第１指示信号を受信し、第１指示信号を使用して直接同期を実行することを示す。または、ＲＳＲＰ値が第３決定閾値未満であるとき、第１端末デバイスは、第１指示信号を使用して同期を実行せず、同期信号を使用して、第１指示信号を受信する前または後に同期を実行する。
【０１５７】
別の例として、方式３において、ＲＳＲＰ値が第５決定閾値未満であるとき、第１端末デバイスは、第１指示信号を受信しないが、第１指示信号に関連する信号を直接受信するか、または第１指示信号に関連するチャネルを処理する。ＲＳＲＰ値が第５決定閾値より大きく第６決定閾値未満であるとき、第１端末デバイスは、第１指示信号を使用して同期を実行せず、同期信号を使用して、第１指示信号を受信する前または後に同期を実行する。または、ＲＳＲＰ値が第６決定閾値より大きいとき、第１端末デバイスは、第１キャリアで第１指示信号を受信し、第１指示信号を使用して同期を直接実行する。
【０１５８】
同様に、方式６では、ＲＳＲＰ値が第１１決定閾値未満であるとき、第１端末デバイスは、第１指示信号を受信しないが、第１指示信号に関連する信号を直接受信するか、または第１指示信号に関連するチャネルを処理する。ＲＳＲＰ値が第１１決定閾値より大きく第１２決定閾値未満であるとき、第１端末デバイスは、第１指示信号を使用して同期を実行せず、同期信号を使用して、第１指示信号を受信する前または後に同期を実行する。または、ＲＳＲＰ値が第１２決定閾値より大きいとき、第１端末デバイスは、第１キャリアで第１指示信号を受信し、第１指示信号を使用して同期を直接実行する。
【０１５９】
一般性を失うことなく、予め設定されたパラメータの測定値は代替的に別のパラメータの測定値であってもよく、決定条件はそれに応じて変更してもよい。例えば、予め設定されたパラメータがページングメッセージを受信するために端末デバイスに必要なサブフレームの数である場合、サブフレームの数が少ないほど、端末デバイスが配置されているエリアの信号カバレッジが良好であることを示し、端末デバイスが受信した指示信号の信号品質が良好であることを示す。別の例として、予め設定されたパラメータがＷＵＳ検出パフォーマンスを達成するために端末デバイスが必要とする伝送時間長である場合、必要な伝送時間長が短いほど、端末デバイスが配置されているエリアの信号カバレッジが良好であることを示し、端末デバイスが受信した指示信号の信号品質が良好であることを示す。この場合、閾値は、ネットワークによって構成されたＷＵＳ送信時間の長さである。
【０１６０】
この場合、方式１では、決定条件は次のように変更する。第１端末デバイスが、予め設定されたパラメータの測定値が第１決定閾値より大きいと決定する場合、第１端末デバイスは、第１キャリアで第１指示信号を受信しない。または、第１端末デバイスが、予め設定されたパラメータの測定値が第１決定閾値以下であると決定する場合、第１端末デバイスは、第１キャリアで第１指示信号を受信する。
【０１６１】
同様に、方式４の場合、第１決定閾値のみを第９決定閾値で置き換える必要がある。
【０１６２】
方式２の場合、決定条件は次のように変更する。第１端末デバイスが予め設定されたパラメータの測定値が第３決定閾値以上であると決定したとき、第１端末デバイスは、最初に同期信号を使用してネットワークデバイスと同期し、次に第１キャリアで第１指示信号を受信する。または、第１端末デバイスが、予め設定されたパラメータの測定値が第３決定閾値以上であると決定した場合、第１端末デバイスは、第１キャリアで第１指示信号を受信する前に同期信号を使用して同期を実行しないが、第１指示信号に関連する信号を受信する前、または第１指示信号に関連するチャネルを処理する前に第１指示信号を受信した後、同期信号を使用してネットワークデバイスと同期する。または、第１端末デバイスが、予め設定されたパラメータの測定値が第３決定閾値未満であると決定した場合、第１端末デバイスは、第１キャリアで第１指示信号を受信し、第１指示信号を使用してネットワークデバイスと同期する。
【０１６３】
同様に、方式５では、第３決定閾値のみを第１０決定閾値に置き換える必要がある。
【０１６４】
方式３の場合、第１端末デバイスが、予め設定されたパラメータの測定値が第６決定閾値より大きいまたはこれに等しいと決定する場合、第１端末デバイスは、第１キャリアで第１指示信号を受信しない。
【０１６５】
第１端末デバイスが、予め設定されたパラメータの測定値が第５決定閾値以上であり第６決定閾値未満であると決定した場合、第１端末デバイスは、最初に同期信号を使用してネットワークデバイスと同期し、次に第１キャリアで第１指示信号を受信する。 または、第１端末デバイスが、予め設定されたパラメータの測定値が第５決定閾値以上であり第６決定閾値未満であると決定した場合、第１キャリアで第１指示信号を受信した後、第１端末デバイスは、同期信号を使用してネットワークデバイスと同期する。
【０１６６】
第１端末デバイスが、予め設定されたパラメータの測定値が第５決定閾値未満であると決定する場合、第１端末デバイスは、第１キャリアで第１指示信号を受信し、第１指示信号を使用してネットワークデバイスと同期する。
【０１６７】
同様に、方式６の場合、第５決定閾値のみを第１１決定閾値に置き換える必要があり、第６決定閾値を第１２決定閾値に置き換える必要がある。
【０１６８】
一般性を失うことなく、ネットワークデバイスは、予め設定されたパラメータの異なる測定値と、予め設定されたパラメータの測定値と第１端末デバイスが位置するエリアの信号カバレッジとの間の関係に基づいて、対応する第１決定閾値を構成し得る。ネットワークデバイスの構成に基づいて、第１端末デバイスは、第１指示信号の指示に基づいて、第１指示信号に関連する信号を受信するか、または第１指示信号に関連するチャネルを処理するかを決定する。
【０１６９】
概して、予め設定されたパラメータの、第１端末デバイスによる測定を通じて得られた、測定値に対応する信号の受信品質が、第１決定閾値に対応する信号の受信品質よりも低いとき、第１端末デバイスは、第１キャリアで第１指示信号を受信せず、第１指示信号に関連する信号を受信するか、または第１指示信号に関連するチャネルを処理するかを決定するために第１指示信号を使用しない。または、予め設定されたパラメータの、第１端末デバイスによる測定を通じて得られた、測定値に対応する信号の受信品質が、第１決定閾値に対応する信号の受信品質以上であるとき、第１端末デバイスは、第１キャリアで第１指示信号を受信し、第１指示信号に関連する信号を受信するか、または第１指示信号に関連するチャネルを処理するかを決定するために第１指示信号を使用する。
【０１７０】
同様に、予め設定されたパラメータの、第１端末デバイスによる測定を通じて得られた、測定値に対応する信号の受信品質が第３決定閾値に対応する信号の受信品質よりも低いとき、第１端末デバイスは第１指示信号を使用して同期を実行しない。または、予め設定されたパラメータの、第１端末デバイスによる測定を通じて得られた、測定値に対応する信号の受信品質が、第３決定閾値に対応する信号の受信品質以上であるとき、第１端末デバイスは第１指示信号を使用して同期を実行する。
【０１７１】
したがって、本明細書における第１１決定閾値の機能は、方式３における第５決定閾値の機能と同じであり、第１２決定閾値の機能は、方式３における第６決定閾値の機能と同じである。方式６で提供される方法によれば、ネットワークデバイスは各キャリアに対して２つの決定閾値を別個に構成する必要がなく、全てのキャリアが第１１決定閾値および第１２決定閾値を共有する。
【０１７２】
一例では、方式１から方式６で言及された決定閾値は全て、基準信号受信電力（Ｒｅｆｅｒｅｎｃｅ  Ｓｉｇｎａｌ  Ｒｅｃｅｉｖｅｄ  Ｐｏｗｅｒ、ＲＳＲＰ）に対して設定される。第１端末デバイスは、アンカーキャリア上で基準信号を受信し、基準信号に対応するＲＳＲＰを予め設定されたパラメータの測定値として決定する。本明細書のアンカーキャリアは、第１キャリア、第２キャリア、または別のキャリアであり得る。
【０１７３】
一般性を失うことなく、予め設定されたパラメータの測定値は代替的に別のパラメータであり得、決定条件はそれに応じて変更し得る。例えば、予め設定されたパラメータが、ページングメッセージを受信するために端末デバイスによって要求されるサブフレームの量である場合、サブフレームの量が少ないほど、端末デバイスのカバレッジが良好であることを示す。この場合、本願のこの解決策の決定条件は、それに応じて調整される。
【０１７４】
別の例として、予め設定されたパラメータの測定値は、ＷＵＳが予め設定された検出パフォーマンスを満たしていることを端末デバイスが検出したときに必要なＷＵＳ送信時間長であり、構成された閾値はネットワークによって設定されたＷＵＳ送信時間長である。この場合、予め設定されたパラメータの測定値が小さいほど、端末デバイスのカバレッジが良いことを示す。この場合、本願のこの解決策の決定条件は、それに応じて調整される。
【０１７５】
一般性を失うことなく、予め設定されたパラメータの測定値と端末カバレッジ間との関係に基づいて、予め設定されたパラメータの測定値と決定閾値との間の異なる関係を使用して、同期を実行するために第１指示情報を使用するかを決定する。概して、予め設定されたパラメータの測定値に対応する端末カバレッジが、決定閾値に対応する端末カバレッジよりも低いとき、第１端末デバイスは、第１キャリアで第１指示信号を受信せず、第１指示信号を使用してその後の関連チャネルまたは信号を処理するかを決定する。または、予め設定されたパラメータの測定値に対応する端末カバレッジが、決定閾値に対応する端末カバレッジより良いまたはこれに等しいとき、第１端末デバイスは、第１キャリアで第１指示信号を受信し、第１指示信号を使用することによって、後続の関連するチャネルまたは信号を処理するかを決定する。
【０１７６】
一般性を失うことなく、予め設定されたパラメータの測定値と端末カバレッジ間の関係に基づいて、予め設定されたパラメータの測定値と決定閾値間の異なる関係を使用して、同期を実行するために第１指示情報を使用するかを決定する。概して、予め設定されたパラメータの測定値に対応する端末カバレッジが、決定閾値に対応する端末カバレッジよりも劣るとき、第１端末デバイスは、第１キャリアで第１指示信号を使用して同期を実行しない。または、予め設定されたパラメータの測定値に対応する端末カバレッジが、決定閾値に対応する端末カバレッジより良いまたはこれに等しいとき、第１端末デバイスは、第１指示信号を使用して同期を実行する。
【０１７７】
以下は、具体的な実施形態を参照して前述の方式を説明する。
【０１７８】
先行技術では、端末デバイスが休止モードのとき、ネットワークデバイスは休止モードの不連続受信サイクル（ＩＤＬＥ  ｍｏｄｅ  Ｄｉｓｃｏｎｔｉｎｕｏｕｓ  Ｒｅｃｅｐｔｉｏｎ，  ＩＤＬＥ  ｍｏｄｅ  ＤＲＸ  ｃｙｃｌｅ，  以下、ＤＲＸ  ｃｙｃｌｅと称される）を構成し、端末デバイスはサイクルとして使用されるこれらのＤＲＸサイクルの時間位置で起動する。時間位置は、ページング機会（Ｐａｇｉｎｇ  Ｏｃｃａｓｉｏｎ、ＰＯ）と称される。端末デバイスは、ＰＯから開始する共通検索空間（ｃｏｍｍｏｎ  Ｓｅａｒｃｈ  Ｓｐａｃｅ）を検出する。端末デバイスが端末デバイスにスケジューリングされたＰＤＣＣＨを検出する場合、すなわち、ＰＤＣＣＨで保持されるＤＣＩがページング無線ネットワーク一時識別子（Ｐａｇｉｎｇ−Ｒａｄｉｏ  Ｎｅｔｗｏｒｋ  Ｔｅｍｐｏｒａｒｙ  Ｉｄｅｎｔｉｔｙ、Ｐ−ＲＮＴＩ）を使用してスクランブリングされた場合、端末デバイスは復調し、ＤＣＩを使用してスケジューリングされたＰＤＳＣＨに保持されるページングメッセージ（Ｐａｇｉｎｇ  ｍｅｓｓａｇｅ）をデコードする。図４に示すように、端末デバイスがＤＲＸサイクルの期間の間スリープした後、端末デバイスはもはやネットワークデバイスと同期していないので、端末デバイスがＰＯから開始する共通検索空間を検出する前に、端末デバイスがネットワークデバイスと同期する必要があることが分かる。例えば、端末デバイスは、ＰＳＳまたはＳＳＳを使用してネットワークデバイスと同期する。したがって、指示信号（例えば、ＷＵＳ）が導入された後、端末デバイスはＰＳＳおよびＳＳＳを使用してネットワークデバイスと同期する必要がないが、指示信号を使用してネットワークデバイスと同期することにより、端末デバイスの電力消費をさらに削減する必要があり得る。
【０１７９】
具体的に言うと、端末デバイスは、以下の３つの方式でＷＵＳを読み取り得る。
【０１８０】
手順（ｐｒｏｃｅｄｕｒｅ）１：この手順は、端末デバイスが後続のページングをさらに受信する必要があるかを決定するため、すなわち、ＰＯから開始する共通検索空間でＰＤＣＣＨを検出する必要があるかを決定するために使用されるが、端末デバイスは最初にネットワークデバイスと同期する必要がある。
【０１８１】
具体的に言うと、端末デバイスは、ＷＵＳを受信する前に、まずＰＳＳとＳＳＳを使用してネットワークデバイスと同期する。同期が完了した後、端末デバイスはＷＵＳを受信する。図５ａに示すように、ＷＵＳで伝送される指示情報が、その後の関連するＰＤＣＣＨおよびＰＤＳＣＨを処理し続けるように端末デバイスに命令する場合、端末デバイスは、ＰＯから開始する共通検索空間内でＰＤＣＣＨを検出し続ける。図５ｂに示すように、受信されたＷＵＳで伝送される指示情報が、後続の関連するＰＤＣＣＨおよびＰＤＳＣＨを処理しないように端末デバイスに命令する場合、端末デバイスは、ＰＯから開始する共通検索空間内でＰＤＣＣＨの検出を継続する必要はない。
【０１８２】
具体的に言うと、ＷＵＳは、以下の態様で、端末デバイスが後続の関連するチャネルまたは信号を処理し続けるかを示すための指示情報を伝送することができる。予め設定されたＷＵＳ信号が送信されるとき、端末デバイスが後続の関連するチャネルまたは信号の処理を継続するように命令されていることを示す。または、予め設定されたＷＵＳ信号が送信されないとき（この場合、ネットワークデバイスは別の信号またはスケジューリングデータを送信し得、これは概してＤＴＸの送信と表される）、端末デバイスが後続の関連するチャネルまたは信号の処理の続行を省略するように命令されていることを示す。
【０１８３】
別の例では、ＷＵＳは、以下の方式で、端末デバイスが後続の関連するチャネルまたは信号の処理を継続するかを示す指示情報を伝送することができる。予め設定されたＷＵＳ信号１が送信されるとき、端末デバイスが後続の関連するチャネルまたは信号の処理を継続するように命令されていることを示す。または、予め設定されたＷＵＳ信号２が送信されるとき、端末デバイスが後続の関連するチャネルまたは信号の処理の続行を省略するように命令されていることを示す。
【０１８４】
前述は、ＷＵＳで伝送される指示情報が、端末デバイスが後続の関連するチャネルまたは信号の処理を継続するかを示す２つの例である。本願は、前述の２つの方式に限定されるものではない。
【０１８５】
手順２：この手順は、端末デバイスが後続のページングをさらに受信する必要があるかを決定するため、すなわち、ＰＯから開始する共通検索空間内でＰＤＣＣＨを検出するかを決定するために使用され、端末デバイスは、ネットワークデバイスとの時間−周波数同期を実装するためにＷＵＳを使用し、ＰＯから開始する共通検索空間内でＰＤＣＣＨを直接検出することができる。
【０１８６】
具体的に言うと、端末デバイスはＷＵＳを受信する。図６ａに示すように、端末デバイスがＷＵＳを受信し、端末デバイスが同時にネットワークデバイスとの時間−周波数同期を実装する場合、端末デバイスは、ＰＯから開始する共通検索空間内でＰＤＣＣＨを直接検出し続ける。または、図６ｂに示すように、端末デバイスがＷＵＳを受信しない場合、端末デバイスは、ＰＯから開始する共通検索空間内でＰＤＣＣＨを検出し続ける必要はない。
【０１８７】
手順３：この手順は、端末デバイスが後続のページングをさらに受信する必要があるかどうかを決定するため、すなわち、ＰＯから開始する共通検索空間内でＰＤＣＣＨを検出するかどうかを決定するために使用される。しかしながら、ＷＵＳを受信した後、端末デバイスは、最初にネットワークデバイスと同期する必要があり、その後、端末デバイスは、ＰＯから開始する共通検索空間内でＰＤＣＣＨを検出する。
【０１８８】
具体的に言うと、端末デバイスはＷＵＳを受信する。図７に示すように、端末デバイスがＷＵＳを受信した場合、端末デバイスはまずネットワークデバイスと同期する必要があり、次に、ＰＯから開始する共通検索空間内でＰＤＣＣＨを検出する。または、図６ｂに示すように、端末デバイスがＷＵＳを受信しない場合、端末デバイスは、ネットワークデバイスと同期する必要がなく、端末デバイスは、ＰＯから開始する共通検索空間内でＰＤＣＣＨを検出し続ける必要もない。
【０１８９】
前述の説明から、手順１、手順３、および手順２の違いは次の通りであることが分かる。ＷＵＳは、手順１と手順３の両方でネットワークデバイスと同期するために使用されず、ＷＵＳは、手順２でネットワークデバイスと同期するために使用される。手順２と手順３では、ＷＵＳが検出される前に事前同期は必要ないが、手順１では、ＷＵＳが検出される前に事前同期が必要である。手順１と手順３との違いは、次の通りである。手順３ではＷＵＳが最初に受信され、次にネットワークデバイスと同期が実行される一方、手順１では最初にネットワークデバイスで同期が実行され、次にＷＵＳが受信される。
【０１９０】
例えば、ユーザ機器（Ｕｓｅｒ Ｅｑｕｉｐｍｅｎｔ, ＵＥ）が、ＵＥが動作するキャリアが第１キャリアであることと、ＵＥが休止モードであることと、ＵＥは、ＤＲＸサイクルをサイクルとして使用する時間位置で起動し、第１構成情報が第１決定閾値（方式１に対応）を示すか、または第３構成情報が第９決定閾値（方式４に対応）を示し、第１決定閾値＝第９決定閾値であることとを決定すると仮定する。
【０１９１】
測定されたＲＳＲＰ１＜ＡであるとＵＥが決定する場合、ＵＥはＰＯから開始する共通検索空間内でＰＤＣＣＨを直接検出し、ＷＵＳを受信または処理しない。
【０１９２】
測定されたＲＳＲＰ１≧ＡであるとＵＥが決定した場合、ＵＥがＷＵＳを受信するとき、またはＷＵＳで伝送された指示情報が、後続の関連するＰＤＣＣＨおよびＰＤＳＣＨの処理を続行するようにＵＥに命令するとき、ＵＥはＰＯから開始する共通検索空間内でＰＤＣＣＨを検出する。または、ＵＥがＷＵＳを受信しないとき、またはＷＵＳで伝送された指示情報が、後続の関連するＰＤＣＣＨおよびＰＤＳＣＨの処理の継続を省略するようにＵＥに命令するとき、ＵＥはＰＯから開始する共通検索空間内でＰＤＣＣＨを検出しない。
【０１９３】
別の例では、ＵＥによって決定され、ＵＥが動作する、またはＵＥがキャンプするキャリアが第１キャリアであり、ＵＥが休止モードにあり、ＵＥがＤＲＸサイクルをサイクルとして使用する時間位置で起動し、第１構成情報が第３決定閾値（方式２に対応）を示すか、または第４構成情報が第１０決定閾値（方式５に対応）を示し、第３決定閾値＝第１０決定閾値＝Ｂであると仮定する。
【０１９４】
測定されたＲＳＲＰ１＜ＢであるとＵＥが決定する場合、ＵＥは前述の手順１を実行する。具体的には、ＷＵＳを受信する前に、ＵＥは最初にネットワークデバイスと同期する。ＷＵＳを受信する場合、ＵＥはＰＯから開始する共通検索空間内でＰＤＣＣＨを検出し続ける。ＷＵＳを受信しない場合、ＵＥはＰＯから開始する共通検索空間内でＰＤＣＣＨを検出しない。あるいは、ＵＥは前述の手順３を実行する。ＷＵＳを受信する場合、ＵＥはＷＵＳを受信した後、ネットワークデバイスと同期し、ＰＯから開始する共通検索空間内でＰＤＣＣＨを検出し続ける。ＷＵＳを受信しない場合、ＵＥはＰＯから開始する共通検索空間内でＰＤＣＣＨを検出しない。
【０１９５】
測定されたＲＳＲＰ１≧ＢであるとＵＥが決定する場合、ＵＥは前述の手順２を実行する。具体的には、ＵＥがＷＵＳを受信するか、またはＷＵＳで伝送される指示情報が、後続の関連するＰＤＣＣＨおよびＰＤＳＣＨの処理を継続するようにＵＥに命令し、ＵＥがネットワークデバイスとの時間−周波数同期を同時に実装する場合、ＵＥはＰＯから開始する共通検索空間内でＰＤＣＣＨの検出を継続する。または、ＵＥがＷＵＳを受信しない場合、またはＷＵＳで伝送される指示情報が、後続の関連するＰＤＣＣＨおよびＰＤＳＣＨの処理の継続を省略するようにＵＥに命令する場合、ＵＥはＰＯから開始する共通検索空間内でＰＤＣＣＨを検出しない。
【０１９６】
別の例では、ＵＥによって決定され、ＵＥが動作する、またはＵＥがキャンプするキャリアが第１キャリアであり、ＵＥが休止モードにあり、ＵＥがＤＲＸサイクルをサイクルとして使用する時間位置で起動し、第１構成情報が第５決定閾値および第６決定閾値（方式３に対応）を示すか、または第５構成情報が第１１決定閾値および第１２決定閾値（方式６に対応）を示し、第５決定閾値＝第１１決定閾値=Ａであり、第６決定閾値＝第１２決定閾値=Ｂであると仮定する。
【０１９７】
測定されたＲＳＲＰ１＜ＡであるとＵＥが決定する場合、ＵＥはＰＯから開始する共通検索空間内でＰＤＣＣＨを直接検出し、ＷＵＳを受信しない。
【０１９８】
ＵＥがＡ≦ＲＳＲＰ１＜Ｂであると決定する場合、ＵＥは前述の手順１を実行する。具体的には、ＷＵＳを受信する前に、ＵＥは最初にネットワークデバイスと同期する。ＷＵＳを受信する場合、ＵＥはＰＯから開始する共通検索空間内でＰＤＣＣＨを検出し続ける。ＷＵＳを受信しない場合、ＵＥはＰＯから開始する共通検索空間内でＰＤＣＣＨを検出しない。あるいは、ＵＥは前述の手順３を実行する。ＷＵＳを受信する場合、ＵＥはＷＵＳを受信した後、ネットワークデバイスと同期し、ＰＯから開始する共通検索空間内でＰＤＣＣＨを検出し続ける。ＷＵＳを受信しない場合、ＵＥはＰＯから開始する共通検索空間内でＰＤＣＣＨを検出しない。
【０１９９】
測定されたＲＳＲＰ１≧ＢであるとＵＥが決定する場合、ＵＥは前述の手順２を実行する。具体的には、ＵＥがＷＵＳを受信し、ＵＥがネットワークデバイスとの時間−周波数同期を実装し得る場合も、ＵＥはＰＯから開始する共通検索空間内でＰＤＣＣＨを検出し続ける。または、ＵＥがＷＵＳを受信しない場合、ＵＥはＰＯから開始する共通検索空間内でＰＤＣＣＨを検出しない。
【０２００】
本願で提供される解決策は、主にネットワーク要素間の相互作用の観点から上記に説明される。ネットワーク要素は、前述の機能を実行するための対応するハードウェア構造および／またはソフトウェアモジュールを含むことが理解され得る。当業者は、本願に開示された実施形態を参照して説明された例におけるユニットおよびアルゴリズム段階が、ハードウェアまたはハードウェアとコンピュータソフトウェアの組み合わせによって実装され得ることを容易に認識するはずである。機能がハードウェアによって実行されるのか、またはコンピュータソフトウェアによって駆動されるハードウェアによって実行されるのかは、技術的解決手段の特定の用途および設計上の制約により決まる。当業者は、特定の出願ごとに説明された機能を実装するために異なる方法を使用することができるが、当該実装が本願の範囲を超えていると考えるべきではない。
【０２０１】
同一の思想に基づいて、図８は、本願による通信装置の概略図である。通信装置は、ネットワークデバイスであってもよく、またはネットワークデバイス内のチップまたはシステム・オン・チップであってもよく、図３に示される実施形態においてネットワークデバイスによって実行される方法を実行してもよい。
【０２０２】
通信装置８００は、少なくとも１つのプロセッサ８１０およびメモリ８３０を含む。
【０２０３】
メモリ８３０は、プログラムを格納するように構成され、ＲＯＭ、静的情報および命令を格納できる別のタイプの静的記憶装置、例えば、ＲＡＭ、または情報および命令を格納できる別のタイプの動的記憶装置であり得、または電気的消去可能プログラマブルリードオンリメモリ（Ｅｌｅｃｔｒｉｃａｌｌｙ ｅｒａｓａｂｌｅ ｐｒｏｇｒａｍｍａｂｌｅ−ｏｎｌｙ ｍｅｍｏｒｙ, ＥＥＰＲＯＭ）、コンパクトディスクリードオンリメモリ（ｃｏｍｐａｃｔ ｄｉｓｃ ｒｅａｄ−ｏｎｌｙ ｍｅｍｏｒｙ, ＣＤ−ＲＯＭ）、または他の光ディスク記憶装置、光ディスク記憶装置（圧縮光ディスク、レーザディスク、光ディスク、デジタル多用途光ディスク、またはブルーレイ（登録商標）ディスクなどを含む）、ディスク記憶媒体または他の磁気記憶装置、または、予想プログラムを命令またはデータ構造の形式で伝送しまたは格納することができ、コンピュータによってアクセスすることができる任意の他の媒体であり得るが、これらに限定されない。メモリ８３０は独立して存在し得、プロセッサ８１０に接続される。あるいは、メモリ８３０は、プロセッサ８１０と統合され得る。
【０２０４】
プロセッサ８１０は、メモリ８３０内のプログラムを実行するように構成され、本願の実施形態における指示信号構成方法におけるネットワークデバイスによって実行されるステップを実装する。関連する特徴については、前述の説明を参照されたい。詳細についてはここで再度説明しない。プロセッサ８１０は、汎用ＣＰＵ、マイクロプロセッサ、具体的なＡＳＩＣ、または本願の解決策のプログラム実行を制御するように構成された１つまたは複数の集積回路であり得る。
【０２０５】
特定の実装において、一実施形態では、プロセッサ８１０は、１つまたは複数のＣＰＵ、例えば、図８のＣＰＵ０およびＣＰＵ１を含み得る。
【０２０６】
特定の実装において、一実施形態では、装置８００は、複数のプロセッサ、例えば、図８のプロセッサ８１０およびプロセッサ８１１を含み得る。プロセッサのそれぞれは、シングルコア（ｓｉｎｇｌｅ−ＣＰＵ）プロセッサであってもよく、またはマルチコア（ｍｕｌｔｉ−ＣＰＵ）プロセッサであってもよい。本明細書において、プロセッサは、データ（例えば、コンピュータプログラム命令）を処理するための１または複数のデバイス、回路、および／または処理コアであり得る。
【０２０７】
オプションとして、通信装置８００がネットワークデバイスであるとき、通信装置８００は、図８に示される送受信機８２０をさらに含み得る。ここで、送受信機８２０は、別のデバイスまたは通信ネットワークと通信するように構成される。送受信機８２０は、無線周波数回路を含む。ネットワークデバイスでは、プロセッサ８１０、送受信機８２０、およびメモリ８３０は、通信バスを使用することによって接続され得る。通信バスは、前述のユニット間で情報を伝送するための経路を含み得る。通信装置８００がネットワークデバイスにおけるチップまたはシステム・オン・チップであるとき、プロセッサ８１０は、入出力インタフェース、ピン、または回路などを使用することによってデータを送信または受信し得る。
【０２０８】
図９は、本願の一実施形態による他の通信装置の概略図である。装置は、ネットワークデバイスであり得、またはネットワークデバイス内のチップまたはシステム・オン・チップであり得、図３に示される実施形態においてネットワークデバイスによって実行される方法を実行し得る。
【０２０９】
装置は、処理ユニット９０１および通信ユニット９０２を含む。
【０２１０】
通信ユニット９０２は、第１構成情報および第２構成情報を送信し、第１キャリアで第１指示信号を送信し、第２キャリアで第２指示信号を送信するように構成される。ここで、第１構成情報は、第１キャリアに対応する第１指示信号の期間を示すために使用され、第２構成情報は、第２キャリアに対応する第２指示信号の期間を示すために使用され、第１指示信号は、第１端末デバイスが第１指示信号に関連する信号の受信を継続するか、または第１指示信号に関連するチャネルの処理を継続するかを示すために使用され、第２指示情報は、第２端末デバイスが第２指示信号に関連する信号の受信を継続するか、または第２指示信号に関連するチャネルの処理を継続するかを示すために使用され、第１端末デバイスは第１指示信号を受信する必要がある端末デバイスであり、第２端末デバイスは第２指示信号を受信する必要がある端末デバイスである。オプションとして、第１構成情報および第２構成情報は、処理ユニット９０１によって生成される。
【０２１１】
オプションとして、第１指示信号の期間は、第２指示信号の期間とは異なる。
【０２１２】
オプションとして、第１キャリアはアンカーキャリアであり、第２キャリアは非アンカーキャリアである。
【０２１３】
オプションとして、第１構成情報は、第１決定閾値をさらに示し、第１決定閾値は、第１キャリアで第１指示信号を受信するかを決定するように第１端末デバイスに命令するために使用される。第２構成情報は、第２決定閾値をさらに示し、第２決定閾値は、第２キャリアで第２指示信号を受信するかを決定するように第２端末デバイスに命令するために使用される。
【０２１４】
オプションとして、第１構成情報はさらに第３決定閾値を示し、第２構成情報はさらに第４決定閾値を示す。第３決定閾値は、第１キャリアで第１指示信号を受信する場合に、ネットワークデバイスと同期するために同期信号を使用するかを決定するように第１端末デバイスに命令するために使用される。第４決定閾値は、第２キャリアで第２指示信号を受信する場合に、ネットワークデバイスと同期するために同期信号を使用するかを決定するように第２端末デバイスに命令するために使用される。
【０２１５】
オプションとして、第１構成情報は、第５決定閾値および第６決定閾値をさらに示し、第５決定閾値は、第６決定閾値未満である。第２構成情報は、第７決定閾値および第８決定閾値をさらに示し、第７決定閾値は、第８決定閾値未満である。第５決定閾値および第６決定閾値は、第１キャリアで第１指示信号を受信するかを決定し、第１キャリアで第１指示信号を受信する場合に、ネットワークデバイスと同期するために同期信号を使用するかを決定するように第１端末デバイスに命令するために使用される。第７決定閾値および第８決定閾値は、第２キャリアで第２指示信号を受信するかを決定し、第２キャリアで第２指示信号を受信する場合、ネットワークデバイスと同期するために同期信号を使用するかを決定するように第２端末デバイスに命令するために使用される。
【０２１６】
オプションとして、通信ユニット９０２はさらに、第３構成情報を送信するように構成され、第３構成情報は、第９決定閾値を示す。第９決定閾値は、第１キャリアで第１指示信号を受信するかを決定するように第１端末デバイスに命令するために使用され、第２キャリアで第２指示信号を受信するかを決定するように第２端末デバイスに命令するために使用される。
【０２１７】
オプションとして、通信ユニット９０２はさらに、第４構成情報を送信するように構成され、第４構成情報は、第１０決定閾値を示す。第１０決定閾値は、第１キャリアで第１指示信号を受信する場合に、ネットワークデバイスと同期するために同期信号を使用するかを決定するように第１端末デバイスに命令するために使用され、第２キャリアで第２指示信号を受信する場合に、ネットワークデバイスと同期するために同期信号を使用するかを決定するように第２端末デバイスに命令するために使用される。
【０２１８】
オプションとして、通信ユニット９０２はさらに、第５構成情報を送信するように構成され、第５構成情報は、第１１決定閾値および第１２決定閾値を示し、第１１決定閾値は、第１２決定閾値未満である。第１１決定閾値および第１２決定閾値は、第１キャリアで第１指示信号を受信するかを決定し、第１キャリアで第１指示信号を受信する場合、ネットワークデバイスと同期するために同期信号を使用するかを決定するように第１端末デバイスに命令するために使用され、第２キャリアで第２指示信号を受信するかを決定し、第２キャリアで第２指示信号を受信する場合、ネットワークデバイスと同期するために同期信号を使用するかを決定するように第２端末デバイスに命令するために使用される。
【０２１９】
通信装置は、本願の実施形態における指示信号構成方法においてネットワークデバイスによって実行される段階を実装するように構成され得ることを理解されたい。関連する特徴については、前述の説明を参照されたい。詳細についてはここで再度説明しない。
【０２２０】
同一の思想に基づいて、図１０は、本願による通信装置の概略図である。通信装置は、例えば、端末デバイス、または端末デバイス内のチップまたはシステム・オン・チップであり得、図３に示される実施形態において端末デバイスによって実行される方法を実行し得る。
【０２２１】
通信装置１０００は、少なくとも１つのプロセッサ１０１０およびメモリ１０３０を含む。
【０２２２】
メモリ１０３０は、プログラムを格納するように構成され、ＲＯＭ、静的情報および命令を格納できる別のタイプの静的記憶装置、例えば、ＲＡＭ、または情報および命令を格納できる別のタイプの動的記憶装置であり得、またはＥＥＰＲＯＭ、ＣＤ−ＲＯＭ、または他の光ディスク記憶装置、光ディスク記憶装置（圧縮光ディスク、レーザディスク、光ディスク、多用途デジタル光ディスク、ブルーレイ（登録商標）ディスクなどを含む）、ディスク記憶媒体または他の磁気記憶装置、または、予想プログラムを命令またはデータ構造の形式で伝送または格納することができ、コンピュータによってアクセスすることができる任意の他の媒体であり得るが、これに限定されない。メモリ１０３０は独立して存在し得、プロセッサ１０１０に接続される。あるいは、メモリ１０３０は、プロセッサ１０１０と統合され得る。
【０２２３】
プロセッサ１０１０は、メモリ１０３０内のプログラムを実行するように構成され、本願の実施形態における指示信号構成方法における端末デバイスによって実行されるステップを実装する。関連する特徴については、前述の説明を参照されたい。詳細についてはここで再度説明しない。プロセッサ１０１０は、汎用ＣＰＵ、マイクロプロセッサ、具体的なＡＳＩＣ、または本願の解決策のプログラム実行を制御するように構成された１つまたは複数の集積回路であり得る。
【０２２４】
特定の実装において、一実施形態では、プロセッサ１０１０は、１つまたは複数のＣＰＵ、例えば、図１０のＣＰＵ０およびＣＰＵ１を含み得る。
【０２２５】
特定の実装において、一実施形態では、装置１０００は、複数のプロセッサ、例えば、図１０のプロセッサ１０１０およびプロセッサ１０１１を含み得る。プロセッサのそれぞれは、シングルコア（ｓｉｎｇｌｅ−ＣＰＵ）プロセッサであってもよく、またはマルチコア（ｍｕｌｔｉ−ＣＰＵ）プロセッサであってもよい。本明細書において、プロセッサは、データ（例えば、コンピュータプログラム命令）を処理するための１または複数のデバイス、回路、および／または処理コアであり得る。
【０２２６】
オプションとして、通信装置１０００がネットワークデバイスであるとき、通信装置１０００は、図１０に示される送受信機１０２０をさらに含み得る。ここで、送受信機１０２０は、別のデバイスまたは通信ネットワークと通信するように構成される。送受信機１０２０は、無線周波数回路を含む。端末デバイスにおいて、プロセッサ１０１０、送受信機１０２０、およびメモリ１０３０は、通信バスを使用することによって接続され得る。通信バスは、前述のユニット間で情報を伝送するための経路を含み得る。装置１０００が端末デバイス内のチップまたはシステム・オン・チップであるとき、プロセッサ１０１０は、入出力インタフェース、ピン、または回路などを使用することによってデータを送信または受信することができる。
【０２２７】
図１１は、本願の一実施形態による他の通信装置の概略図である。通信装置は、端末デバイスであってもよく、または端末デバイス内のチップまたはシステム・オン・チップであってもよく、図３に示す実施形態の第１端末デバイスによって実行される方法を実行してもよい。
【０２２８】
通信装置は、処理ユニット１１０１および通信ユニット１１０２を含む。
【０２２９】
通信ユニット１１０２は、ネットワークデバイスによって送信された第１構成情報を受信し、第１キャリアで第１指示信号を受信するように構成される。その後、通信ユニット１１０２はさらに、第１指示信号に関連する信号の受信を継続するかまたは第１指示信号に関連するチャネルの処理を継続するか、または、第１指示信号に関連する信号の受信を継続することを省略するかまたは第１指示信号に関連するチャネルを処理することを省略するように構成される。第１構成情報は、第１キャリアで送信される第１指示信号の期間を示すために使用される。第１指示信号の期間は、第２キャリア上で第２端末デバイスによって受信された第２指示信号の期間から独立する。第１指示信号は、第１端末デバイスが第１指示信号に関連する信号の受信を継続するか、または第１指示信号に関連するチャネルの処理を継続するかを示すために使用される。第２指示情報は、第２端末デバイスが第２指示信号に関連する信号の受信を継続するか、または第２指示信号に関連するチャネルの処理を継続するかを示すために使用される。オプションとして、処理ユニット１１０１は、通信ユニット１１０２をトリガするように構成される。
【０２３０】
オプションとして、第１指示信号の期間は、第２指示信号の期間とは異なる。
【０２３１】
オプションとして、第１構成情報は、第１決定閾値をさらに示す。処理ユニット１１０１は、予め設定されたパラメータの測定値が第１決定閾値より大きいまたはこれに等しいと決定するように構成され、第１端末デバイスは、第１キャリアで第１指示信号を受信する。
【０２３２】
オプションとして、第１構成情報はさらに、第３決定閾値を示す。処理ユニット１１０１が、予め設定されたパラメータの測定値が第３決定閾値未満であると決定する場合、通信ユニット１１０２は、さらに第１キャリアで第１指示信号を受信し、同期信号を使用してネットワークデバイスと同期するように構成される。処理ユニット１１０１が、予め設定されたパラメータの測定値が第３決定閾値より大きいまたはこれに等しいと決定する場合、通信ユニット１１０２は、さらに第１キャリアで第１指示信号を受信し、第１指示信号を使用して、ネットワークデバイスと同期するように構成される。
【０２３３】
オプションとして、第１構成情報は、第５決定閾値および第６決定閾値をさらに示し、第５決定閾値は、第６決定閾値未満である。処理ユニット１１０１が、予め設定されたパラメータの測定値が第５決定閾値より大きいまたはこれに等しく第６決定閾値未満であると決定する場合、通信ユニット１１０２は、さらに第１キャリアで第１指示信号を受信し、同期信号を使用してネットワークデバイスと同期するように構成される。処理ユニット１１０１が、予め設定されたパラメータの測定値が第６決定閾値より大きいまたはこれに等しいと決定する場合、通信ユニット１１０２は、さらに第１キャリアで第１指示信号を受信し、第１指示信号を使用してネットワークデバイスと同期するように構成される。
【０２３４】
オプションとして、通信ユニット１１０２は、さらにアンカーキャリアで基準信号を受信するように構成され、アンカーキャリアは、第１キャリアまたは別のキャリアである。処理ユニットは、基準信号に対応する基準信号受信電力ＲＳＲＰを、予め設定されたパラメータの測定値として決定する。
【０２３５】
通信装置は、本願の実施形態における指示信号構成方法において第１端末デバイスによって実行されるステップを実装するように構成され得ることを理解されたい。関連する特徴については、前述の説明を参照されたい。詳細についてはここで再度説明しない。
【０２３６】
なお、図９および図１１に示される通信装置の複数のモジュールへの分割は一例であり、単なる論理機能分割であることを理解されたい。実際の実装では、別の分割方式が存在し得る。例えば、通信ユニットは、受信ユニット、および送信ユニット等へ分割される。
【０２３７】
図１２に示されるように、本願の一実施形態は、通信システムをさらに提供する。通信システムは、通信装置８００および通信装置１０００を含む。
【０２３８】
前述の実施形態の全てまたはいくつかが、前述の実施形態において、ソフトウェア、ハードウェア、ファームウェア、またはこれらの任意の組み合わせを使用することにより実装され得る。実施形態の実装にソフトウェアが使用されるとき、実施形態の全てまたはいくつかが、コンピュータプログラム製品の形態で実装され得る。コンピュータプログラム製品は、１または複数のコンピュータ命令を含む。コンピュータプログラム命令がコンピュータ上でロードされ実行されたとき、本願の実施形態に係る手順または機能が全て、または部分的に生成される。コンピュータは、汎用コンピュータ、専用コンピュータ、コンピュータネットワーク、または別のプログラム可能な装置であり得る。コンピュータ命令は、コンピュータ可読記憶媒体に格納され得、またはコンピュータ可読記憶媒体から別のコンピュータ可読記憶媒体へ伝送され得る。例えば、コンピュータ命令は、１つのウェブサイト、コンピュータ、サーバまたはデータセンタから別のウェブサイト、コンピュータ、サーバまたはデータセンタに有線（例えば、同軸ケーブル、光ファイバまたはデジタル加入者線（ＤＳＬ））または無線（例えば、赤外線、無線またはマイクロ波）方式で伝送され得る。コンピュータ可読記憶媒体は、コンピュータからアクセス可能な任意の使用可能な媒体、または、１つまたは複数の使用可能な媒体を統合する、サーバまたはデータセンタなどのデータ記憶デバイスであり得る。使用可能な媒体は、磁気媒体（例えば、フロッピー（登録商標）ディスク、ハードディスク、または磁気テープ）、光媒体（例えば、ＤＶＤ）、または半導体媒体（例えば、ソリッドステートディスク（Ｓｏｌｉｄ  Ｓｔａｔｅ  Ｄｉｓｋ、ＳＳＤ））などであり得る。
【０２３９】
本願は実施形態を参照して説明されるが、特許請求の範囲が保護する本願を実行するプロセスにおいて、当業者は、添付の図面、開示された内容、および添付の特許請求の範囲を考察することにより、開示された実施形態の別の変更を理解および実装し得る。特許請求の範囲において、「ｃｏｍｐｒｉｓｉｎｇ（備える）」は、別のコンポーネントまたは別の段階を除外しない。また、「ａ」または「ｏｎｅ」は複数の場合を除外しない。単一のプロセッサまたは別のユニットが、特許請求の範囲に列挙されているいくつかの機能を実装し得る。いくつかの測定は互いに異なる従属項に記載されているが、これはこれらの測定を組み合わせてより良い効果を生み出すことができないことを意味するものではない。
【０２４０】
当業者であれば、本願の実施形態が、方法、システムまたはコンピュータプログラム製品として提供され得ることを理解するはずである。したがって、本願の実施形態は、ハードウェアのみの実施形態、ソフトウェアのみの実施形態またはソフトウェアとハードウェアとの組み合わせを有する実施形態の形式を使用し得る。加えて、本願の実施形態は、コンピュータ使用可能なプログラムコードを含む１または複数のコンピュータ使用可能記憶媒体（ディスクメモリ、ＣＤ−ＲＯＭ、光学メモリ等を含むがこれらに限定されない）上に実装されるコンピュータプログラム製品の形式を使用し得る。
【０２４１】
本願の実施形態は、本願の実施形態に係る方法、デバイス（システム）およびコンピュータプログラム製品のフローチャートおよび／またはブロック図を参照して説明されている。フローチャートおよび／またはブロック図の各プロセスおよび／または各ブロックと、フローチャートおよび／またはブロック図のプロセスおよび／またはブロックの組み合わせとを実装するために、コンピュータプログラム命令が使用されてよいことを理解されたい。これらのコンピュータプログラム命令は、汎用コンピュータ、専用コンピュータ、組み込みプロセッサ、またはマシンを生成するための任意の他のプログラム可能なデータ処理デバイスのプロセッサに提供され、その結果、コンピュータまたは任意の他のプログラム可能なデータ処理デバイスのプロセッサによって実行される命令は、フローチャートの１または複数のプロセスおよび／またはブロック図の１または複数のブロックで特定の機能を実装するための装置を生成する。
【０２４２】
これらのコンピュータプログラム命令は、コンピュータまたは任意の他のプログラム可能なデータ処理デバイスに具体的な方式で動作するように命令できるコンピュータ可読メモリに格納され得、その結果、コンピュータ可読メモリに格納された命令は、命令装置を含むアーチファクトを生成する。命令装置は、フローチャートの１または複数のプロセス、および／または、ブロック図の１または複数のブロックにおける特定の機能を実装する。
【０２４３】
これらのコンピュータプログラム命令は、コンピュータまたは任意の他のプログラム可能なデータ処理デバイスにロードされ得、その結果、一連の操作および段階がコンピュータまたは任意の他のプログラム可能なデバイス上で実行され、それによりコンピュータ実装処理を生成する。したがって、コンピュータまたは任意の他のプログラム可能なデバイスで実行される命令は、フローチャートの１または複数のプロセスおよび／またはブロック図の１または複数のブロックに特定の機能を実装するためのステップを提供する。
【０２４４】
本願の目的、技術的解決手段、および有益な効果は、前述の具体的な実施形態においてさらに詳細に説明される。前述の説明は、具体的な本願の実施形態に過ぎず、本願の保護範囲を限定することを意図するものではないことを理解されたい。本願の技術的解決手段に基づいて行われる任意の修正、均等な置換または改善は、本願の保護範囲に含まれるものとする。
【図１】
2021503823.tif 000003
【図２】
2021503823.tif 000004
【図３ａ】
2021503823.tif 000005
【図３ｂ】
2021503823.tif 000006
【図４】
2021503823.tif 000007
【図５ａ】
2021503823.tif 000008
【図５ｂ】
2021503823.tif 000009
【図６ａ】
2021503823.tif 000010
【図６ｂ】
2021503823.tif 000011
【図７】
2021503823.tif 000012
【図８】
2021503823.tif 000013
【図９】
2021503823.tif 000014
【図１０】
2021503823.tif 000015
【図１１】
2021503823.tif 000016
【図１２】
2021503823.tif 000017
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
指示信号構成方法であって、前記方法は、
ネットワークデバイスによって、第１構成情報および第２構成情報を送信する段階であって、前記第１構成情報は、第１キャリアに対応する第１指示信号の期間を示し、前記第２構成情報は、第２キャリアに対応する第２指示信号の期間を示し、前記第１指示信号は、第１端末デバイスが前記第１指示信号に関連する信号の受信を継続するか、または前記第１指示信号に関連するチャネルの処理を継続するかを示し、前記第２指示信号は、第２端末デバイスが前記第２指示信号に関連する信号の受信を継続するか、または前記第２指示信号に関連するチャネルの処理を継続するかを示し、前記第１指示信号の前記期間は前記第２指示信号の前記期間と異なり、前記第１端末デバイスは、前記第１指示信号を受信する必要がある端末デバイスであり、前記第２端末デバイスは、前記第２指示信号を受信する必要がある端末デバイスである、送信する段階と、
前記ネットワークデバイスによって、前記第１キャリアで前記第１指示信号を送信し、前記第２キャリアで前記第２指示信号を送信する段階と、を備える、方法。
【請求項２】
前記第１キャリアはアンカーキャリアであり、前記第２キャリアは非アンカーキャリアである、
請求項１に記載の方法。
【請求項３】
前記第１指示信号の実際の送信期間は前記第１指示信号の前記期間よりも短く、前記第２指示信号の実際の送信期間は前記第２指示信号の前記期間よりも短い、請求項１または２に記載の方法。
【請求項４】
前記第１指示信号はウェイクアップ信号（ＷＵＳ）であり、前記第２指示信号はＷＵＳである、請求項１から３のいずれか１項に記載の方法。
【請求項５】
前記第１指示信号に関連するチャネルは物理ダウンリンク制御チャネル（ＰＤＣＣＨ）であり、前記第２指示信号に関連するチャネルはＰＤＣＣＨである、請求項１から４のいずれか１項に記載の方法。
【請求項６】
前記第１構成情報は、第１決定閾値をさらに示し、前記第１決定閾値は、前記第１キャリアで前記第１指示信号を受信するかを決定することを示すために使用され、
前記第２構成情報は、第２決定閾値をさらに示し、前記第２決定閾値は、前記第２キャリアで前記第２指示信号を受信するかを決定することを示すために使用される、
請求項１から５のいずれか１項に記載の方法。
【請求項７】
前記第１構成情報は第３決定閾値をさらに示し、前記第２構成情報は第４決定閾値をさらに示し、
前記第３決定閾値は、前記第１キャリアで前記第１指示信号を受信する場合に、前記ネットワークデバイスと同期するために同期信号を使用するかを決定することを示すために使用され、
前記第４決定閾値は、前記第２キャリアで前記第２指示信号を受信する場合に、前記ネットワークデバイスと同期するために前記同期信号を使用するかを決定することを示すために使用される、
請求項１から５のいずれか１項に記載の方法。
【請求項８】
前記第１構成情報は、第５決定閾値および第６決定閾値をさらに示し、前記第５決定閾値は、前記第６決定閾値未満であり、前記第２構成情報は、第７決定閾値および第８決定閾値をさらに示し、前記第７決定閾値は、前記第８決定閾値未満であり、
前記第５決定閾値および前記第６決定閾値は、前記第１キャリアで前記第１指示信号を受信するかを決定し、前記第１キャリアで前記第１指示信号を受信する場合、前記ネットワークデバイスと同期するために同期信号を使用するかを決定することを示すために使用され、
前記第７決定閾値および前記第８決定閾値は、前記第２キャリアで前記第２指示信号を受信するかを決定し、前記第２キャリアで前記第２指示信号を受信する場合、前記ネットワークデバイスと同期するために前記同期信号を使用するかを決定することを示すために使用される、
請求項１から５のいずれか１項に記載の方法。
【請求項９】
前記ネットワークデバイスによって、第３構成情報を送信する段階であって、前記第３構成情報は、第９決定閾値を示し、
前記第９決定閾値は、前記第１キャリアで前記第１指示信号を受信するかを決定することを示すために使用され、前記第２キャリアで前記第２指示信号を受信するかを決定することを示すために使用される、送信する段階をさらに備える、
請求項１から３のいずれか１項に記載の方法。
【請求項１０】
前記ネットワークデバイスによって、第４構成情報を送信する段階であって、前記第４構成情報は、第１０決定閾値を示し、
前記第１０決定閾値は、前記第１キャリアで前記第１指示信号を受信する場合に、前記ネットワークデバイスと同期するために同期信号を使用するかを決定することを示すために使用され、前記第２キャリアで前記第２指示信号を受信する場合に、前記ネットワークデバイスと同期するために前記同期信号を使用するかを決定することを示すために使用される、送信する段階をさらに備える、
請求項１から５のいずれか１項に記載の方法。
【請求項１１】
前記ネットワークデバイスによって、第５構成情報を送信する段階であって、前記第５構成情報は、第１１決定閾値および第１２決定閾値を示し、前記第１１決定閾値は、前記第１２決定閾値未満であり、
前記第１１決定閾値および前記第１２決定閾値は、前記第１キャリアで前記第１指示信号を受信するかを決定し、前記第１キャリアで前記第１指示信号を受信する場合、前記ネットワークデバイスと同期するために同期信号を使用するかを決定することを示すために使用され、前記第２キャリアで前記第２指示信号を受信するかを決定し、前記第２キャリアで前記第２指示信号を受信する場合、前記ネットワークデバイスと同期するために前記同期信号を使用するかを決定することを示すために使用される、送信する段階をさらに備える、
請求項１から５のいずれか１項に記載の方法。
【請求項１２】
第１端末デバイスによって、第１構成情報を受信する段階であって、前記第１構成情報は第１決定閾値を示し、前記第１決定閾値は、第１キャリアで第１指示信号を受信するかを決定することを示すために使用され、前記第１指示信号は、前記第１端末デバイスが信号を受信し続けるか、または前記第１指示信号に関連するチャネルを処理し続けるかを示すために使用され、
予め設定されたパラメータの測定値が前記第１決定閾値より大きいまたはこれに等しいと前記第１端末デバイスが決定した場合、前記第１端末デバイスによって、前記第１キャリアで前記第１指示信号を受信する、段階
を備える、指示信号構成方法。
【請求項１３】
前記第１構成情報は、第２決定閾値をさらに示し、
予め設定されたパラメータの測定値が前記第２決定閾値未満であると前記第１端末デバイスが決定した場合、前記第１端末デバイスによって、前記第１キャリアで前記第１指示信号を受信し、同期信号を使用してネットワークデバイスと同期し、または、
予め設定されたパラメータの測定値が前記第２決定閾値より大きいまたはこれに等しいと前記第１端末デバイスが決定した場合、前記第１端末デバイスによって、前記第１キャリアで前記第１指示信号を受信し、前記第１指示信号を使用して前記ネットワークデバイスと同期する、段階
をさらに備える、請求項１２に記載の方法。
【請求項１４】
前記第１端末デバイスによって、アンカーキャリア上の基準信号を受信する段階であって、前記アンカーキャリアは前記第１キャリアまたは別のキャリアである、段階と、
前記第１端末デバイスによって、基準信号に対応する基準信号受信電力（ＲＳＲＰ）を、前記予め設定されたパラメータの前記測定値として決定する段階と、
をさらに備える、請求項１２または１３に記載の方法。
【請求項１５】
指示信号構成方法であって、前記方法は、
第１端末デバイスによって、ネットワークデバイスから送信された第１構成情報を受信する段階であって、前記第１構成情報は、第１キャリア上で送信された第１指示信号の期間を示し、前記第１指示信号の前記期間は、第２キャリアで第２端末デバイスによって受信された第２指示信号の期間から独立しており、前記第１指示信号は、前記第１端末デバイスが前記第１指示信号に関連する信号の受信を継続するか、または前記第１指示信号に関連するチャネルの処理を継続するかを示し、前記第２指示信号は、前記第２端末デバイスが前記第２指示信号に関連する信号の受信を継続するか、または前記第２指示信号に関連するチャネルの処理を継続するかを示し、前記第１指示信号の前記期間は前記第２指示信号の前記期間と異なる、受信する段階と、
前記第１端末デバイスによって、前記第１キャリアで前記第１指示信号を受信する段階と、
前記第１端末デバイスによって、前記第１指示信号に関連する前記信号の受信を継続するか、または前記第１指示信号に関連する前記チャネルの処理を継続する段階、または前記第１指示信号に関連する前記信号の受信を継続するか、または前記第１指示信号に関連する前記チャネルの処理を継続することを省略する段階と、
を備える、方法。
【請求項１６】
前記第１指示信号の実際の送信期間は前記第１指示信号の期間よりも短く、前記第２指示信号の実際の送信期間は前記第２指示信号の期間よりも短い、請求項１５に記載の方法。
【請求項１７】
前記第１指示信号はウェイクアップ信号（ＷＵＳ）であり、前記第２指示信号はＷＵＳである、請求項１５または１６に記載の方法。
【請求項１８】
前記第１指示信号に関連するチャネルは物理ダウンリンク制御チャネル（ＰＤＣＣＨ）であり、前記第２指示信号に関連するチャネルはＰＤＣＣＨである、請求項１５から１７のいずれか１項に記載の方法。
【請求項１９】
前記第１構成情報は、第１決定閾値をさらに示し、
前記第１端末デバイスが、予め設定されたパラメータの測定値が前記第１決定閾値より大きいまたはこれに等しいと決定した場合、前記第１端末デバイスによって、前記第１キャリアで前記第１指示信号を受信する段階、
をさらに備える、請求項１５から１８のいずれか１項に記載の方法。
【請求項２０】
前記第１構成情報は、第３決定閾値をさらに示し、
前記第１端末デバイスが、予め設定されたパラメータの測定値が前記第３決定閾値未満であると決定する場合、前記第１端末デバイスによって、前記第１キャリアで前記第１指示信号を受信し、前記ネットワークデバイスと同期するために同期信号を使用する段階、または、
前記第１端末デバイスが、前記予め設定されたパラメータの測定値が前記第３決定閾値より大きいまたはこれに等しいと決定する場合、前記第１端末デバイスによって、前記第１キャリアで前記第１指示信号を受信し、前記ネットワークデバイスと同期するために前記第１指示信号を使用する段階、
をさらに備える、請求項１５から１８のいずれか１項に記載の方法。
【請求項２１】
前記第１構成情報は、第５決定閾値および第６決定閾値をさらに示し、前記第５決定閾値は、前記第６決定閾値未満であり、
前記第１端末デバイスが、予め設定されたパラメータの測定値が前記第５決定閾値より大きいまたはこれに等しく前記第６決定閾値未満であると決定する場合、前記第１端末デバイスによって、前記第１キャリアで前記第１指示信号を受信し、前記ネットワークデバイスと同期するために同期信号を使用する段階、または、
前記第１端末デバイスが、前記予め設定されたパラメータの測定値が前記第６決定閾値より大きいまたはこれに等しいと決定する場合、前記第１端末デバイスによって、前記第１キャリアで前記第１指示信号を受信し、前記ネットワークデバイスと同期するために前記第１指示信号を使用する段階、
をさらに備える、請求項１５から１８のいずれか１項に記載の方法。
【請求項２２】
前記第１端末デバイスによって、アンカーキャリアで基準信号を受信する段階であって、前記アンカーキャリアは、前記第１キャリアまたは他のキャリアである、受信する段階と、
前記第１端末デバイスによって、前記基準信号に対応する基準信号受信電力（ＲＳＲＰ）を、予め設定されたパラメータの測定値として決定する段階と、
をさらに備える請求項１５から１８のいずれか１項に記載の方法。
【請求項２３】
請求項１から１１のいずれか１項に記載の方法を実行するように構成される指示信号構成装置。
【請求項２４】
請求項１２から１４のいずれか１項に記載の方法を実行するように構成される指示信号構成装置。
【請求項２５】
請求項１５から２２のいずれか１項に記載の方法を実行するように構成される指示信号構成装置。
【請求項２６】
コンピュータ可読記憶媒体であって、前記コンピュータ可読記憶媒体には命令が記憶され、前記命令がコンピュータ上で実行されると、前記コンピュータは、請求項１から１１のいずれか１項に記載の方法を実行するか、または請求項１２から１４のいずれか１項に記載の方法を実行するか、または請求項１５から２２のいずれか１項に記載の方法を実施する、コンピュータ可読記憶媒体。
【手続補正２】
【補正対象書類名】明細書
【補正対象項目名】０００８
【補正方法】変更
【補正の内容】
【０００８】
第１態様によれば、本願の一実施形態は、指示信号構成方法であって、ネットワークデバイスによって、第１構成情報および第２構成情報を送信する段階と、第１キャリアで第１指示信号を送信する段階と、第２キャリアで第２指示信号を送信する段階とを備え、第１構成情報は、第１キャリアに対応する第１指示信号の期間を示すために使用され、第２構成情報は、第２キャリアに対応する第２指示信号の期間を示すために使用され、第１指示信号は、第１端末デバイスが第１指示信号に関連する信号の受信を継続するか、または第１指示信号に関連するチャネルの処理を継続するかを示すために使用され、第２指示信号は、第２端末デバイスが第２指示信号に関連する信号の受信を継続するか、または第２指示信号に関連するチャネルの処理を継続するかを示すために使用され、第１端末デバイスは、第１指示信号を受信する必要がある端末デバイスであり、第２端末デバイスは、第２指示信号を受信する必要がある端末デバイスである、指示信号構成方法を提供する。
【手続補正３】
【補正対象書類名】明細書
【補正対象項目名】００２３
【補正方法】変更
【補正の内容】
【００２３】
第２態様によれば、本願の一実施形態は、指示信号構成方法であって、第１端末デバイスによって、ネットワークデバイスによって送信された第１構成情報を受信する段階と、第１キャリアで第１指示信号を受信する段階と、第１端末デバイスによって、第１指示信号に関連する信号を受信すること、または第１指示信号に関連するチャネルを処理することを継続する段階、もしくは第１指示信号に関連する信号を受信すること、または第１指示信号に関連するチャネルを処理することを継続する段階を省略する段階とを備え、第１構成情報は、第１キャリアで送信される第１指示信号の期間を示すために使用され、第１指示信号の期間は、第２キャリアで第２端末デバイスによって受信される第２指示信号の期間から独立しており、第１指示信号は、第１端末デバイスが第１指示信号に関連する信号の受信を継続するか、または第１指示信号に関連するチャネルの処理を継続するかを示すために使用され、第２指示信号は、第２端末デバイスが第２指示信号に関連する信号の受信を継続するか、または第２指示信号に関連するチャネルの処理を継続するかを示すために使用される、指示信号構成方法を提供する。
【手続補正４】
【補正対象書類名】明細書
【補正対象項目名】００７３
【補正方法】変更
【補正の内容】
【００７３】
第１構成情報は、第１キャリアに対応する第１指示信号の期間を示すために使用される。第２構成情報は、第２キャリアに対応する第２指示信号の期間を示すために使用される。第１指示信号は、第１端末デバイスが、第１指示情報に関連する信号またはチャネルを受信を継続する必要があるかを示すために使用される。第２指示信号は、第２端末デバイスが第２指示信号に関連する信号またはチャネルの受信を継続する必要があるかを示すために使用される。第１端末デバイスは、第１指示信号を受信する必要がある端末デバイスである。第２端末デバイスは、第２指示信号を受信する必要がある端末デバイスである。
【手続補正５】
【補正対象書類名】明細書
【補正対象項目名】００９７
【補正方法】変更
【補正の内容】
【００９７】
この場合、第２指示信号は、第２指示信号に関連する信号またはチャネルの受信を継続することを省略するように第２端末デバイスに命令する。
【手続補正６】
【補正対象書類名】明細書
【補正対象項目名】０２１０
【補正方法】変更
【補正の内容】
【０２１０】
通信ユニット９０２は、第１構成情報および第２構成情報を送信し、第１キャリアで第１指示信号を送信し、第２キャリアで第２指示信号を送信するように構成される。ここで、第１構成情報は、第１キャリアに対応する第１指示信号の期間を示すために使用され、第２構成情報は、第２キャリアに対応する第２指示信号の期間を示すために使用され、第１指示信号は、第１端末デバイスが第１指示信号に関連する信号の受信を継続するか、または第１指示信号に関連するチャネルの処理を継続するかを示すために使用され、第２指示信号は、第２端末デバイスが第２指示信号に関連する信号の受信を継続するか、または第２指示信号に関連するチャネルの処理を継続するかを示すために使用され、第１端末デバイスは第１指示信号を受信する必要がある端末デバイスであり、第２端末デバイスは第２指示信号を受信する必要がある端末デバイスである。オプションとして、第１構成情報および第２構成情報は、処理ユニット９０１によって生成される。
【手続補正７】
【補正対象書類名】明細書
【補正対象項目名】０２２９
【補正方法】変更
【補正の内容】
【０２２９】
通信ユニット１１０２は、ネットワークデバイスによって送信された第１構成情報を受信し、第１キャリアで第１指示信号を受信するように構成される。その後、通信ユニット１１０２はさらに、第１指示信号に関連する信号の受信を継続するかまたは第１指示信号に関連するチャネルの処理を継続するか、または、第１指示信号に関連する信号の受信を継続することを省略するかまたは第１指示信号に関連するチャネルを処理することを省略するように構成される。第１構成情報は、第１キャリアで送信される第１指示信号の期間を示すために使用される。第１指示信号の期間は、第２キャリア上で第２端末デバイスによって受信された第２指示信号の期間から独立する。第１指示信号は、第１端末デバイスが第１指示信号に関連する信号の受信を継続するか、または第１指示信号に関連するチャネルの処理を継続するかを示すために使用される。第２指示信号は、第２端末デバイスが第２指示信号に関連する信号の受信を継続するか、または第２指示信号に関連するチャネルの処理を継続するかを示すために使用される。オプションとして、処理ユニット１１０１は、通信ユニット１１０２をトリガするように構成される。
【国際調査報告】
2021503823.tif 000018
2021503823.tif 000019
2021503823.tif 000020
2021503823.tif 000021
2021503823.tif 000022